(57)【要約】      （修正有）【課題】患者に呼吸ガスを送るための医療用チューブを提供する。【解決手段】医療用チューブ６は、埋設されたワイヤ１５を電気部品に接続するためのテール部２０を含む。テール部は、電気部品への医療用チューブの取り付けを容易にするための扁平化部分２２と、露出部２４と、を含んでもよい。テール部は第２の扁平化部分を含んでもよい。ヒータワイヤ１４又はセンサワイヤ１８などの１つ以上のワイヤが医療用チューブに埋設されてもよい。医療用チューブは、１つ以上のワイヤが取り付けられるプリント回路基板を含むコネクタを含んでもよい。コネクタは、プリント回路基板を支持するための特徴を含んでもよく、コネクタへの１つ以上のワイヤの組み付けを助けてもよく、液体の侵入から電気部品を保護してもよい。【選択図】図５
2020179192.tif 000002
【特許請求の範囲】
【請求項１】
患者に呼吸ガスを送るように構成された医療用チューブであって、
第１の長尺状部材と、１つ以上のワイヤを含む第２の長尺状部材を含み、
前記第２の長尺状部材が当該医療用チューブの端部にてテール部を含み、前記テール部が、露出部に先行する扁平化部分を含み、前記１つ以上のワイヤの露出部が前記テール部の前記露出部を画定する、医療用チューブ。
【請求項２】
前記第２の長尺状部材が螺旋状に巻かれている、請求項１に記載の医療用チューブ。
【請求項３】
前記第２の長尺状部材がビードを含む、請求項１又は２に記載の医療用チューブ。
【請求項４】
前記チューブがルーメンを含み、前記第２の長尺状部材が前記ルーメンを囲む壁の一部を形成するとともに、ガス流に接触するように構成されている、請求項１乃至３のいずれか一項に記載の医療用チューブ。
【請求項５】
前記第１の長尺状部材が中空体を含み、前記第２の長尺状部材の隣接する巻きの間に螺旋状に巻かれており、前記ルーメンを囲む前記壁の一部を形成するとともにガス流に接触するように構成されている、請求項１乃至４のいずれか一項に記載の医療用チューブ。
【請求項６】
前記第２の長尺状部材が非扁平化部分を含み、前記非扁平化部分が、前記第１の長尺状部材から分離されており、前記第１の長尺状部材の端部と前記テール部の前記扁平化部分との間に配置されている、請求項１に記載の医療用チューブ。
【請求項７】
前記１つ以上のワイヤが少なくとも１つのヒータワイヤ及び／又は少なくとも１つの検出ワイヤを含む、請求項１乃至６のいずれか一項に記載の医療用チューブ。
【請求項８】
前記少なくとも１つの検出ワイヤが、温度、流量、湿度又は圧力のうちの１つを検出するために用いられる、請求項７に記載の医療用チューブ。
【請求項９】
前記１つ以上のワイヤが４つのワイヤを含む、請求項１乃至８のいずれか一項に記載の医療用チューブ。
【請求項１０】
前記１つ以上のワイヤが２つのヒータワイヤ及び２つの検出ワイヤを含む、請求項１乃至９のいずれか一項に記載の医療用チューブ。
【請求項１１】
前記テール部が前記露出部に続く第２の扁平化部分を含む、請求項１乃至１０のいずれか一項に記載の医療用チューブ。
【請求項１２】
前記１つ以上のワイヤが、前記第２の長尺状部材の非扁平化部分よりも前記露出部において比較的より離間している、請求項１乃至１１のいずれか一項に記載の医療用チューブ。
【請求項１３】
前記１つ以上のワイヤのそれぞれの間の間隔が、プリント回路基板への取り付け用に構成されている、請求項１乃至１２のいずれか一項に記載の医療用チューブ。
【請求項１４】
前記扁平化部分における前記１つ以上のワイヤのそれぞれの間の前記間隔が少なくとも１．０ｍｍである、請求項１乃至１３のいずれか一項に記載の医療用チューブ。
【請求項１５】
当該医療用チューブの端部にコネクタが接合されている、請求項１乃至１４のいずれか一項に記載の医療用チューブ。 
【請求項１６】
前記コネクタが、患者側端部コネクタ又はチャンバ側端部コネクタの少なくとも１つを含む、請求項１５に記載の医療用チューブ。
【請求項１７】
前記コネクタが、当該医療用チューブと呼吸システム構成要素との間に電気経路及びニューマチック接続を形成するように構成されている、請求項１５又は１６のいずれか一項に記載の医療用チューブ。
【請求項１８】
前記テール部が前記コネクタに接続されている、請求項１５乃至１７のいずれか一項に記載の医療用チューブ。
【請求項１９】
前記コネクタがプリント回路基板を含み、前記テール部が前記プリント回路基板に接続されている、請求項１５乃至１８のいずれか一項に記載の医療用チューブ。
【請求項２０】
前記プリント回路基板が前記コネクタのハウジングにオーバーモールドを用いて組み込まれている、請求項１９に記載の医療用チューブ。
【請求項２１】
前記プリント回路基板が前記ハウジング内の通路の直径全体に及ぶ、請求項２０に記載の医療用チューブ。
【請求項２２】
医療用チューブであって、
１つ以上のワイヤと、当該医療用チューブの端部にあるテール部と、
を含む、医療チューブであり、前記テール部が露出部を含み、前記１つ以上のワイヤが前記露出部において露出しており、
本体と、
取付機能部を含むプリント回路基板であり、前記１つ以上のワイヤの前記露出部が前記取付機能部にはんだ付けされるように構成されている、プリント回路基板と、
はんだ付け時、前記１つ以上のワイヤを所定の位置に保持するように構成されているアライメント機能部と、
を含む、コネクタと、
を含む、医療用チューブ。
【請求項２３】
前記取付機能部が取付ノッチを含み、前記アライメント機能部がアライメントノッチを含む、請求項２２に記載の医療用チューブ。
【請求項２４】
前記アライメント機能部が櫛部を形成する、請求項２２又は２３に記載の医療用チューブ。
【請求項２５】
前記取付機能部が前記プリント回路基板の第１の側面に配置されている、請求項２２乃至２４のいずれか一項に記載の医療用チューブ。
【請求項２６】
前記取付機能部が前記プリント回路基板の第１の側面に配置されたはんだパッドを含む、請求項２２乃至２５のいずれか一項に記載の医療用チューブ。
【請求項２７】
前記１つ以上のワイヤが２つの検出ワイヤ及び２つのヒータワイヤを含み、前記コネクタが４つの取付機能部を含み、前記検出ワイヤが前記４つの取付機能部の内側２つにはんだ付けされており、前記ヒータワイヤが前記４つの取付機能部の外側２つにはんだ付けされている、請求項２５又は２６に記載の医療用チューブ。
【請求項２８】
前記アライメント機能部が前記プリント回路基板の第２の側面に配置されている、請求 
項２２乃至２７のいずれか一項に記載の医療用チューブ。
【請求項２９】
前記１つ以上のワイヤの前記露出部が前記プリント回路基板と前記アライメント機能部との間に延びている、請求項２２乃至２８のいずれか一項に記載の医療用チューブ。
【請求項３０】
前記プリント回路基板が前記１つ以上のワイヤを受け入れるノッチの対を含み、前記ノッチの各対が、前記プリント回路基板の第１の側面上のノッチと、前記プリント回路基板の第２の側面上のノッチと、を含み、前記ノッチの各対の１つが前記取付機能部の１つを含み、前記ノッチの各対のもう一方が前記アライメント機能部の１つを含む、請求項２２又は２３に記載の医療用チューブ。
【請求項３１】
前記１つ以上のワイヤの少なくとも１つが、前記プリント回路基板の前記第１の側面上のノッチを少なくとも部分的に囲むパッドにはんだ付けされており、前記１つ以上のワイヤの少なくとも１つが、前記プリント回路基板の前記第２の側面上のノッチを少なくとも部分的に囲むパッドにはんだ付けされている、請求項３０に記載の医療用チューブ。
【請求項３２】
前記１つ以上のワイヤが少なくとも１つのヒータワイヤ及び少なくとも１つのセンサワイヤを含み、前記少なくとも１つのヒータワイヤが前記プリント回路基板の前記第１及び第２の側面のうちの１つのノッチにはんだ付けされており、前記少なくとも１つのセンサワイヤが前記プリント回路基板の前記第１及び第２の側面のもう一方のノッチにはんだ付けされている、請求項３１に記載の医療用チューブ。
【請求項３３】
前記１つ以上のワイヤが少なくとも１つのヒータワイヤ及び少なくとも１つのセンサワイヤを含み、前記少なくとも１つのヒータワイヤが前記プリント回路基板の第１の面上の取付機能部にはんだ付けされており、前記少なくとも１つのセンサワイヤが前記プリント回路基板の反対側の第２の面上の取付機能部にはんだ付けされている、請求項２２に記載の医療用チューブ。
【請求項３４】
前記本体が前記１つ以上のアライメント機能部を含む、請求項２２乃至２４のいずれか一項に記載の医療用チューブ。
【請求項３５】
前記プリント回路基板が、前記１つ以上のワイヤがはんだ付けされた前記プリント回路基板の部分に沿って延出する突起によって支持されている、請求項２２乃至３４のいずれか一項に記載の医療用チューブ。
【請求項３６】
１つ以上の突出部が、前記プリント回路基板の第２の側面上のノッチ間に画定される位置にて前記突起から外側に延出している、請求項３５に記載の医療用チューブ。
【請求項３７】
前記コネクタが、組み立て時、前記本体上の所定の位置に当該医療用チューブを保持するように構成された案内タブを含む、請求項２２乃至３６のいずれか一項に記載の医療用チューブ。
【請求項３８】
前記コネクタが螺旋リブを含み、当該医療用チューブが、螺旋状に巻かれた長尺状部材を含み、前記螺旋リブのピッチが前記長尺状部材のピッチに一致しており、組み立て時、前記長尺状部材に圧力を印加する、請求項２２乃至３７のいずれか一項に記載の医療用チューブ。
【請求項３９】
前記螺旋リブが前記本体を完全には囲んでいない、請求項３８に記載の医療用チューブ。
【請求項４０】
前記テール部の少なくとも一部がカバーと前記本体の表面との間に配置され得る、請求項２２乃至３９のいずれか一項に記載の医療用チューブ。
【請求項４１】
前記カバーが前記本体にヒンジ式に接続されている、請求項４０に記載の医療用チューブ。
【請求項４２】
前記カバーが、前記本体の前記表面を補完する湾曲した内部表面を有する、請求項４０又は４１に記載の医療用チューブ。
【請求項４３】
前記カバーが１つ以上の保持部材を含む、請求項４０乃至４２のいずれか一項に記載の医療用チューブ。
【請求項４４】
前記１つ以上の保持部材が前記カバーを前記本体に固定している、請求項４３に記載の医療用チューブ。
【請求項４５】
前記１つ以上の保持部材が前記カバーを前記突起に固定している、請求項４３又は４４に記載の医療用チューブ。
【請求項４６】
前記１つ以上の保持部材が前記カバーの縁に沿って前記カバーを固定している、請求項４３乃至４５のいずれか一項に記載の医療用チューブ。
【請求項４７】
前記１つ以上の保持部材が前記カバーを柱に固定している、請求項４３乃至４６のいずれか一項に記載の医療用チューブ。
【請求項４８】
前記テール部が扁平化部分を含み、前記露出部が前記扁平化部分に続き、前記テール部が前記露出部に続く第２の扁平化部分を含む、請求項４０乃至４７のいずれか一項に記載の医療用チューブ。
【請求項４９】
前記第２の扁平化部分が前記カバーと前記本体の前記表面との間に配置されている、請求項４８に記載の医療用チューブ。
【請求項５０】
前記医療用チューブと前記本体との間の接合部がオーバーモールド材料で被覆されている、請求項２２乃至４９のいずれか一項に記載の医療用チューブ。
【請求項５１】
前記オーバーモールド材料が当該医療用チューブと前記本体との間の電気接続部を被覆している、請求項５０に記載の医療用チューブ。
【請求項５２】
前記オーバーモールド材料が前記第１の長尺状部材を密封している、請求項５０又は５１に記載の医療用チューブ。
【請求項５３】
前記オーバーモールド材料が前記第２の長尺状部材を少なくとも部分的に融解する、請求項５０乃至５２のいずれか一項に記載の医療用チューブ。
【請求項５４】
前記オーバーモールド材料が前記第１の長尺状部材を少なくとも部分的に融解する、請求項５０乃至５３のいずれか一項に記載の医療用チューブ。
【請求項５５】
前記本体が、前記本体への当該医療用チューブの接続を案内する１つ以上の外部機能を含む、請求項２２乃至５４のいずれか一項に記載の医療用チューブ。
【請求項５６】
前記１つ以上の外部機能が螺旋リブを含む、請求項５５に記載の医療用チューブ。 
【請求項５７】
前記１つ以上の外部機能が案内タブを含む、請求項５５又は５６に記載の医療用チューブ。
【請求項５８】
前記１つ以上の外部機能がドリフト制限ポストを含む、請求項５５乃至５７のいずれか一項に記載の医療用チューブ。
【請求項５９】
前記螺旋リブが前記本体を完全には囲んでいない、請求項５６に記載の医療用チューブ。
【請求項６０】
前記螺旋リブのピッチが前記第１の長尺状部材のピッチに一致しており、前記第１の長尺状部材に圧力を印加する、請求項５６又は５９に記載の医療用チューブ。
【請求項６１】
患者に呼吸ガスを送るように構成された医療用チューブとコネクタのアセンブリであって、
第１の長尺状部材及び第２の長尺状部材を含む医療用チューブであり、前記第２の長尺状部材が１つ以上のワイヤを含む、医療用チューブと、
前記医療用チューブの端部に結合されたコネクタであり、前記コネクタが本体及びプリント回路基板を含む、コネクタと、
を含む、アセンブリであって、
前記第２の長尺状部材が前記医療用チューブの端部にてテール部を含み、前記テール部が、扁平化部分と、露出部と、を含み、前記プリント回路基板との電気接続を形成するために前記１つ以上のワイヤが前記テール部の前記露出部において露出しており、前記第１の長尺状部材の端部と前記扁平化部分との間の非扁平化部分と、を含み、
前記医療用チューブと前記本体との間の接合部を被覆しているオーバーモールド材料と、
を含む、医療用チューブとコネクタのアセンブリ。
【請求項６２】
前記オーバーモールド材料が前記第２の長尺状部材の前記非扁平化部分を少なくとも部分的に囲んでいる、請求項６１に記載の医療用チューブ。
【請求項６３】
前記コネクタがブリッジを含み、前記ブリッジが前記第２の長尺状部材の前記非扁平化部分を前記本体から離れる方に持ち上げるように構成されるように、前記第２の長尺状部材の前記非扁平化部分が前記ブリッジ上に延びるように構成されている、請求項６２に記載の医療用チューブ。
【請求項６４】
前記コネクタが前記ブリッジの一端に配置されたドリフト制限ポストを含み、前記ドリフト制限ポストが、前記プリント回路基板へと向かう前記第２の長尺状部材の前記非扁平化部分の動きを制限するように構成されている、請求項６３に記載の医療用チューブ。
【請求項６５】
前記本体が、第１端部と、第２端部と、前記第１端部と前記第２端部とを接続する長手方向のブリッジと、を有する螺旋リブを含み、前記螺旋リブ及び前記ブリッジが液体用バリアとして機能するように構成されている、請求項６１又は６２に記載の医療用チューブ。
【請求項６６】
前記ブリッジが、前記第２の長尺状部材の前記非扁平化部分を前記本体から離れる方に持ち上げるように構成されるように、前記第２の長尺状部材の前記非扁平化部分が前記ブリッジ上に延びるように構成されている、請求項６５に記載の医療用チューブ。
【請求項６７】
前記ブリッジが、前記本体に結合されたパッドを含む、請求項６３に記載の医療用チュ 
ーブ。
【請求項６８】
前記本体が凹部を含み、前記非扁平化部分が前記凹部上に延びるように構成されている、請求項６１又は６２に記載の医療用チューブ。
【請求項６９】
前記本体が、前記本体に軸方向に入れられたチャネルを含み、前記非扁平化部分が前記チャネル上に延びるように構成されている、請求項６１又は６２に記載の医療用チューブ。
【請求項７０】
前記オーバーモールド材料が、前記第１の長尺状部材と、前記第２の長尺状部材と、前記コネクタの前記本体と、前記プリント表面基板と、前記１つ以上のワイヤの前記露出部と、に接着するように構成されている、請求項６１乃至６９のいずれか一項に記載の医療用チューブ。
【請求項７１】
前記コネクタの前記本体がポリプロピレンを含む、請求項６１乃至７０のいずれか一項に記載の医療用チューブ。
【請求項７２】
前記医療用チューブの前記第１及び第２の部材がポリオレフィンエラストマーを含む、請求項６１乃至７１のいずれか一項に記載の医療用チューブ。
【請求項７３】
前記プリント回路基板が、プラズマ処理を施したガラス繊維強化エポキシ積層体を含む、請求項６１乃至７２のいずれか一項に記載の医療用チューブ。
【請求項７４】
前記オーバーモールド材料がエチレン共重合体及びアクリル酸メチルを含む、請求項６１乃至７３のいずれか一項に記載の医療用チューブ。 
【発明の詳細な説明】
【関連出願の相互参照】
【０００１】
本願で提出された出願データシートに外国又は国内優先権主張が記載されている一切の出願は、米国特許法施行規則第１．５７条の下、参照により本明細書に援用される。加えて、本願は以下の出願の全体を参照により援用する。
【０００２】
２０１２年１１月１４日出願の米国特許仮出願第６１／７２６，５３２号明細書（ＦＰＨＣＲ．３３５ＰＲ）。
【０００３】
２０１３年３月１４日出願の米国特許仮出願第６１／７８６，１４１号明細書（ＦＰＨＣＲ．３３５ＰＲ２）。
【０００４】
２０１３年９月１３日出願の米国特許仮出願第６１／８７７，７３６号明細書（ＦＰＨＣＲ．３３５ＰＲ３）。
【０００５】
２０１３年１１月１４日出願の国際出願ＰＣＴ／ＮＺ２０１３／０００２０８号明細書（ＦＰＨＣＲ．３３５ＷＯ）。
【０００６】
２０１１年６月３日に出願の米国特許仮出願第６１／４９２，９７０号明細書（ＦＰＨＣＲ．２７３ＰＲ）。
【０００７】
２０１２年３月１３日出願の米国特許仮出願第６１／６１０，１０９号明細書（ＦＰＨＣＲ．２７３ＰＲ２）。
【０００８】
２０１２年５月３０日出願の国際出願ＰＣＴ／ＩＢ２０１２／００１７８６号明細書（
ＦＰＨＣＲ．２７３ＷＯ）。
【０００９】
２０１２年１２月４日出願の米国特許仮出願第６１／７３３，３６０号明細書（ＦＰＨＣＲ．２７３ＰＲ３）。
【００１０】
２０１２年１２月４日出願の米国特許仮出願第６１／７３３，３５９号明細書（ＦＰＨＣＲ．２７３ＰＲ４）。
【００１１】
２０１３年９月１３日出願の米国特許仮出願第６１／８７７，６２２号明細書（ＦＰＨＣＲ．２７３ＰＲ５）。
【００１２】
２０１３年１２月２日出願の米国特許出願第１４／１２３，４８５号明細書（ＦＰＨＣＲ．２７３ＮＰ）。
【００１３】
２０１３年１２月４日出願の国際出願ＰＣＴ／ＮＺ２０１３／０００２２２号明細書（ＦＰＨＣＲ．２７３ＷＯ２）。
【００１４】
２０１３年９月１３日出願の米国特許仮出願第６１／８７７，７８４号明細書（ＦＰＨＣＲ．３７１ＰＲ）。
【００１５】
２０１４年７月１５日出願の米国特許仮出願第６２／０２４，９６９号明細書（ＦＰＨＣＲ．３７１ＰＲ２）。
【００１６】
２０１４年９月１５日出願の国際出願ＰＣＴ／ＮＺ２０１４／０００２０１号明細書（ＦＰＨＣＲ．３７１ＷＯ）。
【００１７】
２０１４年３月１７日出願の米国特許仮出願第６１／９５４，２３０号明細書（ＦＰＨＣＲ．４２９ＰＲ）。
【００１８】
２０１４年７月３１日出願の米国特許仮出願第６２／０３１，６６６号明細書（ＦＰＨＣＲ．４２９ＰＲ２）。
【００１９】
２０１４年９月８日出願の米国特許仮出願第６２／０４７，５３６号明細書（ＦＰＨＣＲ．４２９ＰＲ３）。
【００２０】
２０１５年３月１０日出願の米国特許仮出願第６２／１３１，１７３号明細書（ＦＰＨＣＲ．４２９ＰＲ４）。
【技術分野】
【００２１】
本開示は、概して、呼吸用加湿システムに関する。特に、本開示は、呼吸用加湿システムのための医療用チューブに関する。
【背景技術】
【００２２】
患者に呼吸ガスを提供するために呼吸システムが用いられる。呼吸システムは、患者に供給されるガスを調整するための加湿デバイスを含んでもよい。これらガスは送気前に加熱しても加湿してもよい。ガスは患者インターフェースと流体連通する医療用チューブを介して患者に送られる。患者インターフェースの例としては、口マスク、鼻マスク、鼻カニューレ、気管マスク、気管内チューブ、又は口マスクと鼻マスクとを組み合わせたものが挙げられる。相対湿度１００％及び３７℃で患者に送られるガスは、空気が鼻を通り肺に入る際に起こる空気の変換により生じる特性を模したものである。これにより、効率的なガス交換及び肺の換気を促進し、気道の防御機構を補助し、治療時の患者の快適性を増加する。患者にガスを送るための医療用チューブは、加熱加湿ガスを暖かい状態に維持し、医療用チューブ内での凝縮物の形成を防ぐためのヒータワイヤ、又は医療用チューブ内のセンサからデータを伝達するためのセンサワイヤなどのワイヤを有してもよい。医療用チューブと加湿デバイス又は患者インターフェースなどの呼吸システム構成要素との間に電気及び／又はニューマチック接続を形成するためにコネクタを用いてもよい。
【発明の概要】
【発明が解決しようとする課題】
【００２３】
呼吸システム構成要素に医療用チューブを接続するためのコネクタは先行技術に存在するものの、本明細書中に開示される実施形態のうちの少なくとも１つの特定の特徴、態様及び利点には、呼吸システム構成要素への医療用チューブの接続に付随する課題があるという認識を含む。医療用チューブは、ヒータワイヤ、センサワイヤなどのワイヤ、又は任意の他の種類の電気伝導体を有してもよい。ワイヤは、医療用チューブ内に配置しても、医療用チューブの壁に埋設しても、医療用チューブの外側に配置してもよい。医療用チューブにワイヤを含める他の手法も用いてよい。医療用チューブは、ワイヤがガス流に曝される可能性を低減又は排除するために、医療用チューブの壁に埋設されたワイヤを有してもよい。しかしながら、ワイヤは、呼吸システム構成要素への電気接続を、医療用チューブとコネクタとの間のニューマチック接続に影響を及ぼすことなく、コネクタを通じて又は介して形成することが必要となり得る。埋設されたワイヤを有する医療用チューブとコネクタとの間に信頼性の高い接続を形成することは困難な場合がある。
【課題を解決するための手段】
【００２４】
先行技術における課題の解決策を提供するような手法でコネクタに接続するように構成された医療用チューブを提供する実施形態を開示する。医療用チューブは、１つ以上のワイヤを有してもよく、コネクタにて終端してもよい。医療用チューブとコネクタとの間の接続部は、電気及びニューマチック接続を容易にしてもよい。医療用チューブは、第１の長尺状部材と、第２の長尺状部材と、を含んでもよい。１つ以上のワイヤが第２の長尺状部材に埋設されてもよい。第２の長尺状部材は、１つ以上のワイヤをコネクタに取り付けることができるように１つ以上のワイヤを露出させる扁平化部分（扁平化された部分）によって終端してもよい。いくつかの実施形態では、第２の長尺状部材は、１つ以上のワイヤを露出させる扁平化部分によって終端してもよく、コネクタへの１つ以上のワイヤの取り付けを補助してもよい第２の扁平化部分を有してもよい。
【００２５】
いくつかの構成においては、患者に呼吸ガスを送るための医療用チューブが構成される。医療用チューブは、第１の長尺状部材と、第２の長尺状部材と、を含む。第２の長尺状部材は、１つ以上の埋設されたワイヤを含む。第２の長尺状部材は、テール部としてのチューブの端部にて終端している。テール部は、扁平化部分と、露出部と、を含む。１つ以上のワイヤは、呼吸システム構成要素との電気接続を形成するために露出部において露出している。
【００２６】
いくつかの構成においては、電気部品は、呼吸システム構成要素に医療用チューブを接続するように構成されたコネクタである。
【００２７】
いくつかの構成においては、１つ以上のワイヤは、少なくとも１つのヒータワイヤ及び／又は少なくとも１つの検出ワイヤを含む。いくつかのこうした構成においては、少なくとも１つの検出ワイヤは温度、流量、湿度又は圧力のうちの１つを検出するために用いられる。
【００２８】
いくつかの構成においては、１つ以上のワイヤは４つのワイヤを含む。
【００２９】
いくつかの構成においては、１つ以上のワイヤは２つのヒータワイヤ及び２つの検出ワイヤを含む。
【００３０】
いくつかの構成においては、テール部は露出部に続く第２の扁平化部分を含む。
【００３１】
いくつかの構成においては、１つ以上のワイヤのそれぞれの間の間隔は、呼吸システム構成要素への取り付け用に構成されている。例えば、１つ以上のワイヤは、第２の長尺状部材の非扁平化部分（扁平化されていない部分）よりも露出部において比較的より間隔をあけて配置され得る。
【００３２】
いくつかの構成においては、１つ以上のワイヤのそれぞれの間の間隔は、プリント回路基板への取り付け用に構成されている。
【００３３】
いくつかの構成においては、コネクタはチューブの端部に接合されている。いくつかのこうした構成においては、コネクタは、患者側端部コネクタ及びチャンバ側端部コネクタのうちの少なくとも１つである。
【００３４】
いくつかの構成においては、コネクタは、チューブの端部に接続されたハウジングを含む。いくつかのこうした構成においては、コネクタは、医療用チューブと呼吸システム構成要素との間に電気接続及びニューマチック接続を形成するように構成されている。いくつかのこうした構成においては、テール部はコネクタに接続されている。いくつかのこうした構成においては、テール部はプリント回路基板に接続されている。プリント回路基板はハウジングによって支持され得る。いくつかのこうした構成においては、プリント回路基板がコネクタのハウジングにオーバーモールドを用いて組み込まれている。いくつかのこうした構成においては、プリント回路基板はハウジング内の通路の直径全体に及ぶ。いくつかのこうした構成においては、プリント回路基板が、１つ以上のワイヤがはんだ付けされたプリント回路基板の部分に沿って延出する突起によって支持されている。
【００３５】
いくつかの構成においては、櫛部がプリント回路基板の第１の側面に配置されており、１つ以上のワイヤは、プリント回路基板の第１の側面の裏側の、プリント回路基板の第２の側面に隣接してはんだ付けされている。いくつかのこうした構成においては、プリント回路基板の第２の側面は１つ以上のワイヤを受け入れるノッチを含む。いくつかの構成においては、１つ以上のワイヤの露出部はプリント回路基板と櫛部との間に延びている。いくつかの構成においては、プリント回路基板は、１つ以上のワイヤを受け入れるノッチの対を含み、ノッチの各対は、プリント回路基板の第１の側面上のノッチと、プリント回路基板の第２の側面上のノッチと、を含み、１つ以上のワイヤのそれぞれは、ノッチの各対の１つにはんだ付けされている。いくつかのこうした構成においては、１つ以上のワイヤの少なくとも１つはプリント回路基板の第１の側面上のノッチにはんだ付けされており、１つ以上のワイヤの少なくとも１つはプリント回路基板の第２の側面上のノッチにはんだ付けされている。いくつかの構成においては、突出部が、プリント回路基板の第２の側面上のノッチ間に画定される位置にて突起から外側に延出している。
【００３６】
いくつかの構成においては、１つ以上のワイヤは、２つの検出ワイヤと、２つのヒータワイヤと、を含み、４つの取付機能部がプリント回路基板の１つの側面に配置されている。いくつかのこうした構成においては、検出ワイヤが４つの取付機能部の内側２つにはんだ付けされており、ヒータワイヤが４つの取付機能部の外側２つにはんだ付けされている。いくつかの構成においては、１つ以上のワイヤは、少なくとも１つのヒータワイヤ及び少なくとも１つのセンサワイヤを含み、少なくとも１つのヒータワイヤはプリント回路基板の第１及び第２の側面のうちの１つのノッチにはんだ付けされており、少なくとも１つのセンサワイヤはプリント回路基板の第１及び第２の側面のもう一方のノッチにはんだ付けされている。いくつかの構成においては、１つ以上のワイヤは少なくとも１つのヒータワイヤ及び少なくとも１つのセンサワイヤを含み、少なくとも１つのヒータワイヤはプリント回路基板の第１の面又は表面の取付機能部にはんだ付けされており、少なくとも１つのセンサワイヤはプリント回路基板の反対側の第２の面又は表面の取付機能部にはんだ付けされている。
【００３７】
いくつかの構成においては、テール部の少なくとも一部はカバーとハウジングの表面との間に配置され得る。いくつかのこうした構成においては、カバーはハウジングにヒンジ式に接続されている。いくつかのこうした構成においては、カバーは、ハウジングの表面を補完する湾曲した内部表面を有する。いくつかの構成においては、カバーは１つ以上の保持部材を含む。いくつかの構成においては、１つ以上の保持部材はカバーをハウジングに固定している。いくつかのこうした構成においては、１つ以上の保持部材はカバーを突起に固定している。いくつかのこうした構成においては、１つ以上の保持部材はカバーの縁に沿ってカバーを固定している。いくつかの構成においては、１つ以上の保持部材はカバーを柱に固定している。いくつかの構成においては、テール部の第２の扁平化部分はカバーとハウジングの表面との間に配置されている。
【００３８】
いくつかの構成においては、医療用チューブとハウジングとの間の接合部はオーバーモールド材料で被覆されている。いくつかのこうした構成においては、オーバーモールド材料は、医療用チューブとハウジングとの間の電気接続も被覆している。いくつかのこうした構成においては、オーバーモールド材料は第１の長尺状部材を密封している。
【００３９】
いくつかの構成においては、オーバーモールド材料は第２の長尺状部材を少なくとも部分的に融解する。
【００４０】
いくつかの構成においては、オーバーモールド材料は第１の長尺状部材を少なくとも部分的に融解する。
【００４１】
いくつかの構成においては、ハウジングは、ハウジングへのチューブの接続を案内する１つ以上の外的な特徴を含む。いくつかのこうした構成においては、１つ以上の外的な特徴は螺旋リブを含む。いくつかの構成においては、螺旋リブはハウジングを完全には囲んでいない。いくつかの構成においては、螺旋リブのピッチは第１の長尺状部材のピッチに一致しており、医療用チューブがハウジングに接続されたときに第１の長尺状部材に圧力を印加する。いくつかのこうした構成においては、１つ以上の外的な特徴は案内タブを含む。いくつかのこうした構成においては、１つ以上の外的な特徴はドリフト制限ポストを含む。
【００４２】
いくつかの構成においては、テール部は、第１の長尺状部材の端部と扁平化部分との間の非扁平化部分を含み、オーバーモールド材料は、医療用チューブとコネクタのハウジングとの間の接合部を被覆している。いくつかのこうした構成において、オーバーモールド材料は非扁平化部分を少なくとも部分的に囲んでいる。コネクタはブリッジを含むことができ、ブリッジが非扁平化部分をハウジングから離れる方に持ち上げるように構成されるように、非扁平化部分はブリッジ上に延びるように構成され得る。いくつかのこうした構成においては、ドリフト制限ポストがブリッジの一端に配置されている。いくつかの構成においては、コネクタは、第１端部と、第２端部と、第１端部と第２端部とを接続する長手方向のブリッジと、を有する螺旋リブを含み、螺旋リブ及びブリッジは液体用バリアとして機能するように構成されている。いくつかのこうした構成においては、ブリッジが非扁平化部分をハウジングから離れる方に持ち上げるように、非扁平化部分は長手方向のブリッジ上に延びるように構成されている。いくつかの構成においては、非扁平化部分をハウジングから離れる方に持ち上げるように構成されたブリッジは、ハウジングに結合されたパッドを含む。いくつかの構成においては、ハウジングは凹部を含み、この凹部上に非扁平化部分が延びるように構成されている。いくつかの構成においては、コネクタは、ハウジング内に軸方向に入れられたチャネルを含み、このチャネル上に非扁平化部分が延びるように構成されている。
【００４３】
いくつかの構成においては、医療用チューブとコネクタのハウジングとの間の接合部を被覆しているオーバーモールド材料は、第１の長尺状部材と、第２の長尺状部材と、コネクタの本体と、プリント表面基板（ｐｒｉｎｔｅｄ  ｓｕｒｆａｃｅ  ｂｏａｒｄ）と、１つ以上のワイヤの露出部とに接着するように構成されている。いくつかのこうした構成においては、コネクタハウジングはポリプロピレンを含む。医療用チューブの第１及び第２の部材はポリオレフィンエラストマーを含み得る。いくつかの構成においては、プリント回路基板はプラズマ処理を施したガラス繊維強化エポキシ積層体を含む。いくつかの構成においては、オーバーモールド材料はエチレン共重合体及びアクリル酸メチルを含む。
【００４４】
本開示のこれら及び他の特徴、態様及び利点を、好適な実施形態を説明することを意図しており制限することを意図しない以下の図に関して記載する。
【図面の簡単な説明】
【００４５】
【図１】患者に呼吸ガスを送るための呼吸システムの概略図である。
【図２】医療用チューブの斜視図である。
【図３】呼吸システム構成要素への接続を補助するための医療用チューブの終端部の異なる実施形態の斜視図である。
【図４】呼吸システム構成要素への接続を補助するための医療用チューブの終端部の異なる実施形態の斜視図である。
【図５】呼吸システム構成要素への接続を補助するための医療用チューブの終端部の異なる実施形態を備える医療用チューブの斜視図である。
【図６】呼吸システム構成要素への接続を補助するための医療用チューブの終端部の異なる実施形態を備える医療用チューブの斜視図である。
【図７】２つの導管セグメント間に接続を用いるチューブアセンブリの斜視図である。接続はコネクタによって設けられ、明確にするためにコネクタは外カバーなしで示す。
【図７Ａ】１つの導管セグメントと、各端部にあるコネクタと、を有するチューブアセンブリの斜視図である。
【図７Ｂ】２つの導管セグメントを結合するために用いることができる中間点アセンブリの例示的実施形態を示す。
【図７Ｃ】２つの導管セグメントを結合するために用いることができる中間点アセンブリの例示的実施形態を示す。
【図７Ｄ】２つの導管セグメントを結合するために用いることができる中間点アセンブリの例示的実施形態を示す。
【図７Ｅ】導管セグメントを接合するために用いることができる中間点アセンブリの別の例示的実施形態を示す。
【図７Ｆ】導管セグメントを接合するために用いることができる中間点アセンブリの別の例示的実施形態を示す。
【図８】チャンバ側端部コネクタの一部及び導管の端部の斜視図である。
【図９】チャンバ側端部コネクタの一部及び導管の端部の斜視図である。
【図１０】チャンバ側端部コネクタの一部及び導管の端部の斜視図である。
【図１０Ａ】チャンバ側端部コネクタの一部及び導管の端部の斜視図である。
【図１１Ａ】チャンバ側端部コネクタの別の例示的実施形態の図である。
【図１１Ｂ】チャンバ側端部コネクタの別の例示的実施形態の図である。
【図１１Ｃ】チャンバ側端部コネクタの別の例示的実施形態の図である。
【図１２】患者側端部コネクタの一部の斜視図である。
【図１３】患者側端部コネクタの一部の断面図である。
【図１３Ａ】患者側端部コネクタの一部の側面図である。
【図１４Ａ】患者側端部コネクタの別の例示的実施形態の図である。
【図１４Ｂ】患者側端部コネクタの別の例示的実施形態の図である。
【図１４Ｃ】患者側端部コネクタの別の例示的実施形態の図である。
【図１４Ｄ】患者側端部コネクタの別の例示的実施形態の図である。
【図１４Ｅ】患者側端部コネクタの別の例示的実施形態の図である。
【図１４Ｆ】患者側端部コネクタの別の例示的実施形態の図である。
【図１５】ブリッジ部品を含む患者側端部コネクタの一実施形態の一部の斜視図である。
【図１６】図１５のブリッジ部品の斜視図である。
【図１７】チャネルを含む患者側端部コネクタの一実施形態に結合された導管の一部の種々の側面図である。
【図１８】チャネルを含む患者側端部コネクタの一実施形態に結合された導管の一部の種々の側面図である。
【図１９】チャネルを含む患者側端部コネクタの一実施形態に結合された導管の一部の種々の側面図である。
【図２０】隣り合う凹部によって形成されたブリッジを有する患者側端部コネクタの例示的実施形態の一部を示す。
【発明を実施するための形態】
【００４６】
図１は、呼吸システム１を示す。呼吸システム１は、以下の構成要素、すなわち、患者３に送られるべき一定量のガスを発生させるように構成された、送風機又はベンチレータなどの加圧ガス源２と、一定量のガスを調整するように構成された加湿デバイス４と、ガスを患者３に供給するときに患者インターフェース８にガスを送るように構成された医療用チューブ６と、医療用チューブ６を加湿デバイス４に接続するように構成されたコネクタ１６と、を含み得るが、これらに限定されない。
【００４７】
本明細書中に記載される患者インターフェース８は、マスク、鼻マスク、鼻プロング、口マスク、気管マスク又は鼻ピローを意味してもよい。
【００４８】
本明細書中に記載される加湿デバイス４は、ガスを調整する任意のデバイスを意味してもよい。これには、ガスの加熱及び／又はガスの加湿を含んでもよい。
【００４９】
本明細書中に記載されるガスは、空気、酸素、二酸化炭素、又は任意のこうしたガスの混合物、又は患者インターフェース８を介して患者３に送達されてもよい１つ以上の薬剤若しくはエアロゾルと任意のこうしたガスとの組み合わせを意味してもよい。
【００５０】
本明細書中に記載される医療用チューブ６は、チューブ、導管、回路又はホースを意味してもよい。図２、図５及び図６では、示される医療用チューブ６は、第１の長尺状部材１０及び第２の長尺状部材１２を含んでもよい。図５及び図６では、図示される医療用チューブ６は１つ以上のワイヤ１５を含んでもよい。１つ以上のワイヤ１５は、少なくとも１つのヒータワイヤ、少なくとも１つのセンサワイヤ及び／又は任意の他の種類の電気伝導体を含んでもよい。１つ以上のワイヤ１５は医療用チューブ６内にあってもよい。１つ以上のワイヤ１５は医療用チューブ６の内部又は外部表面に沿って配置されていてもよい。１つ以上のワイヤ１５が医療用チューブ６の壁に埋設され得るように１つ以上のワイヤ１５は医療用チューブ６上又は医療用チューブ６内に螺旋状に巻かれていてもよい。
【００５１】
医療用チューブ６は加熱されても加熱されなくてもよい。医療用チューブ６は、医療用チューブ６内での凝縮物の形成を低減するための絶縁体を含んでもよい。いくつかの実施形態では、第１の長尺状部材１０にこうした絶縁体を設けてもよい。凝縮物は医療用チューブ６内の加熱された加湿ガスが通過中に冷却されると形成し得る。凝縮物形成を低減又は排除するために医療用チューブ６を加熱してもよい。この加熱は、図５及び図６に示されるように、１つ以上のヒータワイヤ１４を含む１つ以上のワイヤ１５によって提供してもよい。いくつかの実施形態では、第２の長尺状部材１２は１つ以上のワイヤ１５を含んでもよい。
【００５２】
医療用チューブ６と呼吸システム１の構成要素との間に電気接続が形成され得るように、医療用チューブ６の終端部を設け、１つ以上のワイヤ１５をコネクタ１６にて終端してもよい。図５及び図６の医療用チューブ６に関して示されるように、また、図３及び図４に拡大して示されるように、いくつかの実施形態では、終端エレメントは、テール部２０又はテール部３０を含んでもよい。コネクタ１６では、医療用チューブ６と呼吸システム１の構成要素との間にニューマチック接続を設けてもよい。本明細書中に記載される呼吸システム１の構成要素は、患者インターフェース又は加湿デバイスを意味してもよい。コネクタ１６では、医療用チューブ６と呼吸システム１の構成要素との間に電気接続及びニューマチック接続のいずれか１つ、又は電気接続及びニューマチック接続の両方を設けてもよい。
【００５３】
図５及び図６に示されるように、１つ以上のワイヤ１５は、また、１つ以上の検出ワイヤ１８を含んでもよい。１つ以上の検出ワイヤ１８は、温度、流量、湿度又は圧力などのガスの特性を検出するために用いてもよい。いくつかの実施形態では、１つ以上の検出ワイヤ１８は温度を検出するために用いてもよい。いくつかの実施形態では、１つ以上の検出ワイヤ１８は１つ以上のセンサに接続してもよく、１つ以上のセンサはこれらガスの特性の１つ以上を検出するために用いてもよい。
【００５４】
いくつかの実施形態では、図５及び図６に示すように、１つ以上のワイヤ１５は医療用チューブ６に埋設されている。いくつかの実施形態では、１つ以上のワイヤ１５は第２の長尺状部材１２に埋設されていてもよい。いくつかの実施形態では、１つ以上のワイヤ１５は第１の長尺状部材１０に埋設されていてもよい。いくつかの実施形態では、１つ以上のヒータワイヤ１４及び１つ以上の検出ワイヤ１８の両方が第２の長尺状部材１２に埋設されていてもよい。いくつかの実施形態では、１つ以上のヒータワイヤ１４及び１つ以上の検出ワイヤ１８の両方が第１の長尺状部材１０に埋設されていてもよい。いくつかの実施形態では、１つ以上のヒータワイヤ１４及び１つ以上の検出ワイヤ１８の少なくとも１つが第２の長尺状部材１２に埋設されていてもよく、１つ以上のヒータワイヤ１４及び１つ以上の検出ワイヤ１８の少なくとももう１つが第１の長尺状部材１０に埋設されていてもよい。いくつかの実施形態では、第２の長尺状部材１２内にヒータワイヤ１４がなくてもよい。いくつかの実施形態では、第２の長尺状部材１２内に検出ワイヤ１８がなくてもよい。任意の他のこうした組み合わせがあってもよい。
【００５５】
いくつかの実施形態では、１つ以上のヒータワイヤ１４は２つのヒータワイヤを含んでもよい。いくつかの実施形態では、１つ以上の検出ワイヤ１８は２つの検出ワイヤを含んでもよい。いくつかの実施形態では、１つ以上の検出ワイヤ１８は１つ以上のヒータワイヤ１４の近傍に配置されていてもよい。いくつかの実施形態では、１つ以上のヒータワイヤ１４は第１のヒータワイヤ及び第２のヒータワイヤを含んでもよく、１つ以上の検出ワイヤ１８は第１のヒータワイヤと第２のヒータワイヤとの間に配置されていてもよい。
【００５６】
第１の長尺状部材１０と第２の長尺状部材１２は異なる材料から作製してもよい。例えば、第１の長尺状部材１０は可撓性であってもよく、及び／又は医療用チューブ６に断熱性を付与してもよい。第２の長尺状部材１２は、例えば、医療用チューブ６に強化特性及び／又は構造支持を付与する材料から作製してもよい。いくつかの実施形態では、第１の長尺状部材１０が医療用チューブ６の補強性及び／又は構造的な支持を付与してもよい。いくつかの実施形態では、第２の長尺状部材１２は可撓性であってもよい及び／又は断熱性を付与してもよい。異なる組み合わせも提供してよい。いくつかの実施形態では、医療用チューブ６は１つの長尺状部材を含んでもよい。いくつかの実施形態では、医療用チューブ６は２つ以上の第１の長尺状部材を含んでもよい。いくつかの実施形態では、医療用チューブ６は２つ以上の第２の長尺状部材を含んでもよい。
【００５７】
図５及び図６に示されるように、いくつかの実施形態では、テール部２０、３０は第２の長尺状部材１２から延出してもよい。いくつかの実施形態では、テール部２０、３０は第１の長尺状部材１０から延出してもよい。いくつかの実施形態では、テール部２０、３０は第１の長尺状部材１０と第２の長尺状部材１２とを組み合わせたものから延出してもよい。同様に、２つを超える長尺状部材が用いられる場合、テール部２０、３０は、システム内の長尺状部材の任意の１つから、又はシステム内の１つより多い長尺状部材から延出してもよい。本明細書中に記載されるテール部２０、３０は、電気部品への第１の長尺状部材１０及び／又は第２の長尺状部材１２の接続を可能にするように構成された、第１の長尺状部材１０及び／又は第２の長尺状部材１２の終端部を意味する。電気部品は、例えば、プリント回路基板又は電気コネクタを意味してもよい。
【００５８】
図３及び図５に示されるように、テール部２０は扁平化部分２２及び露出部２４を含んでもよい。いくつかの実施形態では、テール部２０は、第１の長尺状部材１０及び／又は第２の長尺状部材１２と扁平化部分２２との間に、扁平化されていない又は扁平化部分２２よりも扁平化の度合いが小さい移行部又は予備部を含んでもよい。図４及び図６に示すように、テール部３０は、第１の扁平化部分３２と、露出部３４と、第２の扁平化部分３６と、を含んでもよい。いくつかの実施形態では、テール部３０は、第１の長尺状部材１０及び／又は第２の長尺状部材１２と、第１の扁平化部分３２との間に、扁平化されていない又は第１の扁平化部分３２よりも扁平化の度合いが小さい移行部又は予備部を含んでもよい。いくつかの実施形態では、テール部２０、３０はそれぞれ、露出部２４、３４のみを含んでもよい。しかしながら、扁平化部分２２、第１の扁平化部分３２及び／又は第２の扁平化部分３６は、電気部品への１つ以上のワイヤ１５のハンドリング及び接続を補助してもよい。扁平化部分２２及び／又は第１の扁平化部分３２は第２の長尺状部材１２と同じ材料から作製してもよい。いくつかの実施形態では、扁平化部分２２、第１の扁平化部分３２及び／又は第２の扁平化部分３６の幅Ｗは多くとも１１．０ｍｍ、多くとも９．０ｍｍ又は多くとも８．５ｍｍであってもよい。いくつかの実施形態では、扁平化部分２２及び／又は第１の扁平化部分３２の長さＬ１は少なくとも８．０ｍｍであってもよい。いくつかの実施形態では、露出部２４及び／又は露出部３４の長さＬ２は少なくとも８．０ｍｍ又は少なくとも１０．０ｍｍであってもよい。いくつかの実施形態では、第２の扁平化部分３６の長さＬ３は露出部３４の長さの少なくとも２倍、多くとも３２．０ｍｍ又は多くとも２５．０ｍｍであってもよい。
【００５９】
扁平化部分２２はテール部２０の一部であり、第１の扁平化部分３２はテール部３０の一部である。１つ以上のワイヤ１５は間隔を置いて配置されてもよい。本明細書中で記載される間隔は、１つ以上のワイヤ１５の離隔距離又は離散距離を意味してもよく、扁平化部分２２、第１の扁平化部分３２及び／又は第２の扁平化部分３６内の１つ以上のワイヤ１５の位置若しくは配置を意味してもよい。１つ以上のワイヤ１５が２つ以上のヒータワイヤ、少なくとも１つのヒータワイヤと少なくとも１つの検出ワイヤとの組み合わせ、２つ以上の検出ワイヤ、又は電気伝導体の任意の他の組み合わせなどの１つより多いワイヤを含む場合、１つ以上のワイヤ１５のそれぞれは、互いに対し間隔を置いて配置してもよい。この間隔は電気部品への１つ以上のワイヤ１５の取り付けを補助するためであってもよい。この間隔は、扁平化部分２２及び／又は第１の扁平化部分３２の幅によって決定してもよい。いくつかの実施形態では、１つ以上のワイヤ１５それぞれの間の間隔は、２．５ｍｍ、多くとも４．０ｍｍ又は少なくとも１．０ｍｍであってもよい。いくつかの構成においては、任意の２つの最も外側のワイヤの間の距離は、９．０ｍｍ未満であっても８．０ｍｍ未満であってもよい。１つ以上のワイヤ１５のそれぞれの間に様々な離隔距離又は離間距離を用いてもよい。
【００６０】
１つ以上のワイヤ１５が間隔を置いて配置されると、扁平化部分２２及び／又は第１の扁平化部分３２は１つ以上のワイヤ１５の両側を越えて延びてもよい。扁平化部分２２及び／又は第１の扁平化部分３２は１つ以上のワイヤ１５を収容してもよい。１つ以上のワイヤ１５を収容する扁平化部分２２及び／又は第１の扁平化部分３２の量は、様々な値の範囲内であってもよい。いくつかの実施形態では、扁平化部分２２及び／又は第１の扁平化部分３２は１つ以上のワイヤ１５の両側に０．２５ｍｍ延びてもよい。扁平化部分２２及び／又は第１の扁平化部分３２は、必要に応じて、１つ以上のワイヤ１５の両側に０．２５ｍｍ超又は０．２５ｍｍ未満延びてもよい。
【００６１】
第２の長尺状部材１２の扁平化部分２２及び第１の扁平化部分３２は既知の扁平化技術を用いて形成してもよい。扁平化された材料の長さは、間隔及び１つ以上のワイヤ１５の間隔の維持に関して重要となり得る。１つ以上のワイヤ１５が１つより多いワイヤを含む場合、扁平化部分２２及び第１の扁平化部分３２を形成する扁平化された材料の長さは１つ以上のワイヤ１５のそれぞれを互いに離間するのを補助してもよい。１つ以上のワイヤ１５のそれぞれは１つ以上のワイヤ１５を露出させる前に互いに離間させてもよい。いくつかの実施形態では、１つ以上のワイヤ１５は１つ以上のワイヤ１５を露出させた後に互いに離間させてもよい。いくつかの実施形態では、１つ以上のワイヤ１５のそれぞれは１つ以上のワイヤ１５を露出させるときに互いに離間させてもよい。１つ以上のワイヤ１５のそれぞれの互いの間隔により、１つ以上のワイヤ１５の順序を混同する可能性を低下させてもよい。これにより、組立オペレータを使用性及びハンドリングに関して補助してもよい。ワイヤ間の間隔は上記のものとすることができる。
【００６２】
露出部２４、３４はそれぞれ扁平化部分２２又は第１の扁平化部分３２に追従する別個の部分であってもよい。１つ以上のワイヤ１５は露出部２４、３４において露出させてもよい。露出部２４、３４の長さは重要であってもよい。１つ以上のワイヤ１５の露出部は電気部品に取り付けてもよい。扁平化部分２２及び／又は第１の扁平化部分３２の一部を露出させるための任意の適切な方法を用いてもよい。露出部２４、３４は電気部品への１つ以上のワイヤ１５の取り付けを容易にする長さを有してもよい。
【００６３】
図４及び図６は、電気部品への第２の長尺状部材１２の取り付けを容易にするために第２の扁平化部分３６が用いられ得る実施形態を示す。第２の扁平化部分３６は、露出部３４の、第１の扁平化部分３２に対する他端から離して配置されていても、露出部３４の、第１の扁平化部分３２に対する他端に配置されていてもよい。第２の扁平化部分３６は１つ以上のワイヤ１５を覆っていてもよく、１つ以上のワイヤ１５の長さを超えて延びていてもよい。第２の扁平化部分３６は電気部品に第２の長尺状部材１２を取り付けるのに有用であってもよい。例えば、第２の扁平化部分３６は、電気部品及び／又はコネクタ１６などのコネクタへのテール部３０の巻き付けを容易にしてもよい。第２の扁平化部分３６は、また、更に、テール部３０内において１つ以上のワイヤ１５の間隔を維持してもよい。第２の扁平化部分３６は第２の長尺状部材１２と同じ材料を用いて作製してもよい。いくつかの実施形態では、第２の扁平化部分３６は異なる材料を用いて作製してもよい。第２の扁平化部分３６は１つ以上のワイヤ１５のハンドリングを補助してもよい。例えば、１つ以上のワイヤ１５のそれぞれを個々にハンドリングする必要がなくてもよく、コネクタ１６などのコネクタに医療用チューブ６を組み付ける効率が向上してもよい。いくつかの実施形態では、第２の扁平化部分３６を使用しなくてもよい。１つ以上のワイヤ１５の位置決め及び間隔を維持するための他の機構又は技術も用いることができる。
【００６４】
電気部品を１つ以上のワイヤ１５に取り付けてもよい。電気部品は、例えば、オーバーモールド若しくは接着剤によって、又はクリッピング機構を用いることによって医療用チューブ６に接続してもよい。コネクタ１６は医療用チューブ６と呼吸システム１の電気部品又は別の構成要素との間の接続を形成してもよい。いくつかの実施形態では、コネクタ１６は医療用チューブ６と加湿デバイス４との間の接続を形成してもよい。いくつかの実施形態では、コネクタ１６は、医療用チューブ６と患者インターフェース８との間の接続を形成してもよい。コネクタ１６は、また、医療用チューブ６と送風機２との間の接続を形成するために用いてもよい。いくつかの実施形態では、コネクタ１６は医療用チューブ６と少なくとも１つの他の医療用チューブとの間の電気及びニューマチック接続を形成するために用いてもよい。医療用チューブ６は、乳児、小児又は成人が使用するためのものであってもよい。いくつかの実施形態では、医療用チューブ６は、少なくとも１つの他の医療用チューブに空気的に接続してもよい。いくつかの実施形態では、１つ以上のワイヤ１５は電気接続を形成することなくコネクタ１６にて終端させてもよい。これら実施形態においては、医療用チューブ６をコネクタ１６に接続するのを助けるためにテール部２０、３０をさらに用いてもよい。いくつかの実施形態では、テール部２０、３０は使用しなくても省略してもよい。いくつかの実施形態では、医療用チューブ６をコネクタ１６に取り付けるための既知の方法を用いてもよい。したがって、コネクタ１６はそれが形成し得る接続に限定されず、医療用チューブと呼吸システム１の構成要素との間の他の接続を、本開示の特定の特徴、態様及び利点に従い配置及び構成してもよい。
【００６５】
コネクタのハウジング１６は透明材料から形成してもよい。透明材料は、オペレータが１つ以上のワイヤ１５が分離されたか及び／又はコネクタ１６上に適切に配置されたかどうかを評価することを可能としてもよい。いくつかの実施形態では、コネクタ１６のハウジングは着色された材料であってもよい。いくつかの実施形態では、使用者が材料を見通すことができなくてもよいように、コネクタ１６のハウジングは不透明材料であってもよい。
【００６６】
ここで、図７を参照すると、チューブ６は呼吸管５０を画定する構成にて示される。示される呼吸管５０は、チャンバ側端部コネクタ５２と患者側端部コネクタ５４とを有する。チャンバ側端部コネクタ５２は、２０１４年９月１５日出願の国際出願ＰＣＴ／ＮＺ２０１４／０００２０１号明細書（ＦＰＨＣＲ．３７１ＷＯ）及び２０１３年１２月４日出願の国際出願ＰＣＴ／ＮＺ２０１３／０００２２２号明細書（ＦＰＣＨＲ．２７３ＷＯ２）（これらはそれぞれその全体が参照により本明細書に援用される）に記載されるように構成され得る。患者側端部コネクタ５４は、２０１３年１１月１４日出願の国際出願ＰＣＴ／ＮＺ２０１３／０００２０８号明細書（ＦＰＨＣＲ．３３５ＷＯ）及び２０１３年１２月４日出願の国際出願ＰＣＴ／ＮＺ２０１３／０００２２２号明細書（ＦＰＣＨＲ．２７３ＷＯ２）（これらはそれぞれその全体が参照により本明細書に援用される）に記載されるように構成され得る。いくつかの構成においては、示される構成と同様に、呼吸管５０は、また、中間コネクタ５６を含む。中間コネクタ５６は、２０１３年１１月１４日出願の国際出願ＰＣＴ／ＮＺ２０１３／０００２０８号明細書（ＦＰＨＣＲ．３３５ＷＯ）及び２０１３年１２月４日出願の国際出願ＰＣＴ／ＮＺ２０１３／０００２２２号明細書（ＦＰＣＨＲ．２７３ＷＯ２）（これらはそれぞれその全体が参照により本明細書に援用される）に記載されるように構成され得る。外カバーなしで示されているものの、コネクタ５２、５４、５６のそれぞれは、例えば、図１０Ａ、図１１Ｃ及び図１４Ｆ並びに関連の記載に示されかつ記載されているような、美的に好ましい外観を与えるための、把持又は他の操作のための人間工学的な外部表面を与えるための、並びに本明細書中に記載される電気的、機械的及びニューマチック的接合部を画定する構成要素を覆い隠すための適切な外カバーを含み得る。いくつかの構成においては、呼吸管５０は１つより多い中間コネクタ５６を含み、中間コネクタ５６の他の構成を用いてもよい。
【００６７】
いくつかの構成においては、中間コネクタ５６は第１のチューブセグメント６０と第２のチューブセグメント６２を結合させる。第１のチューブセグメント６０はチャンバ側端部コネクタ５２に接続させることができ、第２のチューブセグメント６２は患者側端部コネクタ５４に接続させることができる。これら構成要素がともに固定されると、電気経路が、チャンバ側端部コネクタ５２から第１のチューブセグメント６０を通り中間コネクタ５６へと延び、中間コネクタ５６を横断し、中間コネクタ５６から第２のチューブセグメント６２を通り患者側端部コネクタ５４へと延びる。実際には、途切れのない電気的な接続がチャンバ側端部コネクタ５２から患者側端部コネクタ５４まで延びる。同様に、ニューマチック経路が、チャンバ側端部コネクタ５２から第１のチューブセグメント６０を通り中間コネクタ５６へと延び、中間コネクタ５６を通り、中間コネクタ５６から第２のチューブセグメント６２を通り患者側端部コネクタ５４へと延びる。事実上、チャンバ側端部コネクタ５２から患者側端部コネクタ５４まで途切れのないニューマチック接続が延びる。途切れのないニューマチック接続は、また、チャンバ側端部コネクタ５２に接続されたニューマチック用構成要素（例えば、加湿器チャンバ、図示せず）から、患者側端部コネクタ５４に接続されたニューマチック用構成要素（例えば、患者インターフェース、図示せず）へと延び得る。事実上、これら構成要素を組み合わせて、２つ以上のセグメントを含む１つの医療用チューブを画定する。
【００６８】
第１のチューブセグメント６０は第１端部６４及び第２端部６６を含む。いくつかの構成においては、第１端部６４及び第２端部６６の少なくとも１つはテール部７０を含む。いくつかの構成においては、第１端部６４はテール部７０を含む一方で、第２端部６６もまたテール部７２を含む。テール部７０、７２は、テール部２０、３０によって具現化されるいずれの構成も含む任意の適切な構成を有し得る。
【００６９】
同様に、第２のチューブセグメント６２は第１端部７４及び第２端部７６を含む。いくつかの構成においては、第１端部７４及び第２端部７６の少なくとも１つはテール部８０を含む。いくつかの構成においては、第１端部７４がテール部８０を含む一方で、第２端部７６もまたテール部８２を含む。テール部８０、８２は、テール部２０、３０によって具現化されるいずれの構成も含む任意の適切な構成を有し得る。
【００７０】
いくつかの構成においては、例えば、図７Ａに示されるように、呼吸管５０を画定する構成のチューブ６は、チャンバ側端部コネクタ５２と患者側端部コネクタ５４とを含んでもよいが、中間コネクタは含まない。更に他の実施形態においては、呼吸管５０を画定する構成のチューブ６は、チャンバ側端部コネクタ５２と、患者側端部コネクタ５４と、中間点アセンブリと、を含み得る。中間点アセンブリ４００の例示的実施形態は図７Ｂ〜図７Ｄに示す。中間点アセンブリ４００に関する更なる詳細について以下に記載する。
【００７１】
ここで、図８を参照すると、チャンバ側端部コネクタ５２の一部が示される。特に、チャンバ側端部コネクタ５２が外カバー又はハウジングなしで示される。チャンバ側端部コネクタ５２はプラグ部９０を含む。プラグ部９０はプリント回路基板すなわちＰＣＢ９２を支持し得る。
【００７２】
プラグ部９０は本体９４を含む。本体９４は略円筒状とすることができる。取付フランジ９６は本体９４から遠ざかる方に延出し得る。取付フランジ９６は本体９４から外側に延出し得る。取付フランジ９６は構造体を画定することができ、この構造体に外カバー又はハウジングを接続できる。示される構成においては、取付フランジ９６は、プリント回路基板９２が延在し得る通路９８を画定する。示される構成においては、取付フランジ９６から側板９９が延出し、ＰＣＢ９２とともに延在する通路９８の伸張部を全体として形成する。
【００７３】
通路９８に隣接して、サポートレッジ１００が形成され得る。サポートレッジ１００はプリント回路基板９２の下にあるように配置及び構成されている。いくつかの構成においては、サポートレッジ１００は本体９４から径方向外側に延出する。いくつかの構成においては、サポートレッジ１００は、本体９４から径方向外側に延出する軸方向延出隆起である。いくつかの構成においては、サポートレッジ１００は取付フランジ９６に接続されている。
【００７４】
いくつかの構成においては、サポートレッジ１００は１つ以上の突出部１０２によって補強され得る。示される構成においては、サポートレッジ１００は３つの突出部１０２によって補強される。示される構成においては、すべての突出部１０２がサポートレッジ１００の１つの側から外側に延出する。
【００７５】
いくつかの構成においては、サポートレッジ１００は上向きのフック１０４を含み得る。上向きのフック１０４は取付フランジ９６の方に折り返すことができる。上向きのフック１０４はプリント回路基板９２の少なくとも一部に重なるように配置及び構成されている。いくつかの構成においては、上向きのフック１０４の内側に突起物が配置され得る。この突起物は軸方向に延び、この突起物は、プリント回路基板９２の軸方向端部に画定される凹部内に受け入れられ得る。いくつかの構成においては、上向きのフック１０４はサポートレッジ１００よりも大きな横寸法を有する。いくつかの構成においては、上向きのフック１０４と上向きのフック１０４の下にあるサポートレッジ１００の一部は両方とも、上向きのフック１０４の下にないサポートレッジ１００の一部よりも大きな横寸法を有する。いくつかの構成においては、上向きのフック１０４はサポートレッジ１００の軸方向端部から延出する。
【００７６】
示されるように、プリント回路基板９２は１つ以上のはんだパッド１０６を含む。示されるように、プリント回路基板９２は、はんだパッド１０６によって少なくとも部分的に囲まれた取付ノッチ１０８を含み得る。取付ノッチ１０８は、任意の適切な構成を有し得る。示される構成においては、取付ノッチ１０８は、突出部１０２間に配置された間隙に合致する位置に配置されている。いくつかの構成においては、取付ノッチ１０８は、プリント回路基板９２の端部が上向きのフック１０４内に配置されると、突出部１０２間に画定される間隙と整列する位置に配置されている。
【００７７】
プリント回路基板９２は、また、例えば、アライメントノッチ１１０などであるがこれに限定されないワイヤアライメント構成要素を含み得る。いくつかの構成においては、図８に示されるように、取付ノッチ１０８はプリント回路基板９２の一方の側にあり、アライメントノッチ１１０はプリント回路基板９２の反対側にある。アライメントノッチ１１０はテール部７０のワイヤを受け入れることができる。アライメントノッチ１１０は、概して、取付ノッチ１０８の位置と整列し得る。アライメントノッチ１１０はテール部７０のワイヤが互いに交差する可能性を低減又は排除するのを助けることができるとともに、プリント回路基板９２へのはんだ付け時にテール部７０のワイヤをぴんと張られた状態に維持するのを助けることができる。いくつかの構成においては、アライメントノッチ１１０の２つ以上は対応する取付ノッチ１０８間の離隔距離よりも大きな距離で分離することができ、テール部７０のワイヤを取付ノッチ１０８からアライメントノッチ１１０へと広げ、はんだ付けへのアクセスを向上し、テール部７０のワイヤが互いに交差する可能性を更に低下させる。アライメントノッチ１１０はテール部７０のワイヤを収容するような大きさ及び構成にすることができる。アライメントノッチ１１０はプリント回路基板９２の一部として示されるものの、アライメントノッチ１１０は、例えば、サポートレッジ１００又は上向きのフック１０４などであるが、これに限定されない別個の構成要素で形成することができる。
【００７８】
示される構成においては、テール部７０のワイヤが取付ノッチ１０８及びアライメントノッチ１１０内に固定されるように、上向きのフック１０４は、テール部７０が所定の位置に引き込まれたときにプリント回路基板９２がねじれに抵抗するのを助ける。加えて、突出部１０２は、はんだパッド１０６へのテール部７０のワイヤのはんだ付け時、プリント回路基板９２が曲がったり反ったりする可能性を低下させるのを助ける。
【００７９】
ここで、図９を参照すると、導管１１２を取り付けたプラグ部９０が示されている。導管１１２は本明細書中の別の場所に記載されている任意の構成を含む任意の適切な構成を有し得る。示される導管１１２は、第１の要素１１４及び第２の要素１１６を含む。いくつかの構成においては、第１の要素１１４は第２の要素１１６の前で終端してもよく、テール部７０は第２の要素１１６から延びている。換言すると、第２の要素１１６のテール部７０は第１の要素１１４ではなくプラグ部９０に沿って更に延びてもよい。いくつかの構成においては、テール部７０は第１の要素１１４から延びてもよい。いくつかの構成においては、テール部７０は第１の要素１１４と第２の要素１１６とを組み合わせからものから延びてもよい。いくつかの構成においては、第１の要素１１４及び第２の要素１１６は特定のピッチで螺旋状に巻かれている。
【００８０】
第２の要素１１６は、１つ以上のワイヤ１１８を組み込むビードを含み得る。ワイヤ１１８は任意の適切な構成を有し得る。いくつかの構成においては、ワイヤ１１８は２つ以上の色を有するようにコーティングされ得る。換言すると、いくつかの構成においては、ワイヤ１１８は異なるようにコーティングされ得る、又はそうでなければワイヤ１１８のいくつか、例えば最も外側のワイヤ１１８を、他のワイヤ１１８、例えば最も内側のワイヤ１１８から視覚的に区別できるような色にされ得る。ワイヤ１１８間での又は中での視覚的区別を可能にするこうした構成又は別の構成により、有利には、プリント回路基板９２のはんだパッド１０６にはんだ付けされる前に、ワイヤ１１８が各取付ノッチ１０８内において所望の位置及び順序にあることを確認することが可能になる。
【００８１】
いくつかの構成においては、テール部７０は第１の扁平化領域（第１の扁平化された領域））１２０と第２の扁平化領域（第２の扁平化された領域）１２２とを含むことができ、ワイヤ１１８は第１の扁平化領域１２０と第２の扁平化領域１２２との間に露出され得る。テール部７０は、したがって、本明細書中に記載したもののいずれも含む任意の適切な構成を有し得る。いくつかの構成においては、第２の扁平化領域１２２は省略され得る。いくつかの構成においては、第１の扁平化領域１２０及び第２の扁平化領域１２２は省略され得る。第１の扁平化領域１２０及び第２の扁平化領域１２２は、しかしながら、製造中又は製造後におけるワイヤ１１８間の接触の可能性を低下させるのを助ける。いくつかの構成においては、テール部７０は、第１の要素１１４及び／又は第２の要素１１６と第１の扁平化領域１２０との間に、扁平化されていない又は第１の扁平化領域１２０よりも扁平化の度合いが小さい移行部又は予備部を含み得る。
【００８２】
図８及び図９を参照すると、第２の扁平化領域１２２は、製造中、カバー１２４を用いて所定の位置に拘束され得る。カバー１２４はプラグ部９０と一体形成され得る。カバー１２４はプラグ部９０とは別個に形成され得る。別個に形成されたカバー１２４は任意の適切な構成にてプラグ部９０に固定され得る。示される構成においては、一体形成されたカバー１２４をプラグ部９０に固定するためにリビングヒンジ１２６を用いることができる。他の適切な構成も用いることができる。
【００８３】
図９に示されるように、カバー１２４は湾曲した内部表面１２８を含み得る。湾曲した内部表面１２８は、第２の扁平化領域１２２の少なくとも一部をプラグ部９０の外部表面１３０に対して固定するために用いることができる。いくつかの構成においては、第２の扁平化領域１２２の少なくとも一部がプラグ部９０の外部表面１３０とカバー１２４の湾曲した内部表面１２８との間に固定され得る。いくつかの構成においては、第１の扁平化領域１２０の少なくとも一部はプラグ部９０の外部表面１３０とカバー１２４の内部表面１２８との間に固定され得る。いくつかの構成においては、第１の扁平化領域１２０と第２の扁平化領域１２２との間に露出するワイヤ１１８の少なくとも一部はプラグ部９０の外部表面１３０とカバー１２４の内部表面１２８との間に固定され得る。
【００８４】
カバー１２４は１つ以上の保持部材１３２を含み得る。示される構成においては、２つの保持部材１３２が設けられている。保持部材１３２のそれぞれは、フック部材１３４を含み得る。２つの保持部材１３２はタブ１３６によって互いに隔てられ得る。タブ１３６は、カバー１２４をプラグ部９０に対し閉じるためにオペレータが押すための面を提供することができる。タブ１３６は、また、カバー１２４がプラグ部９０に対して閉じられたときに第２の扁平化領域１２０の少なくとも一部を覆うことができる。第２の扁平化領域１２０の組立及び被覆の容易さの提供を望んでいることに留意しつつ、タブ１３６を含まない他の構成を用いることもできる。プラグ部９０は１つ以上のキャッチ１３８を含み得る。キャッチ１３８はサポートレッジ１００上に配置され得る。キャッチ１３８はサポートレッジ１００の下面に配置され得る。カバー１２４を、第２の扁平化領域１２２を捉える閉位置に固定することを望んでいることに留意しつつ、他の構成も可能である。組み立て時、第２の扁平化領域１２２がプラグ部９０の外部表面１３０に沿って配置された状態で、保持部材１３２がキャッチ１３８に係合するまでリビングヒンジ１２６の周りにおいてカバー１２４を回転させることができ、これにより、外部表面１３０とカバー１２４の湾曲した内部表面１２８との間に第２の扁平化領域１２２を捕捉する。
【００８５】
いくつかの構成においては、導管１１２とプラグ部９０との間の接続部及び／又はワイヤ１１８とプリント回路基板９２との間の接続部はオーバーモールドされ得る。いくつかの構成においては、カバー１２４はオーバーモールドされ得る。いくつかの構成においては、導管１１２とプラグ部９０との間の接続部、及びワイヤ１１８とプリント回路基板９２との間の接続部、及びカバー１２４はオーバーモールドされ得る。
【００８６】
いくつかの構成においては、図１０に示すように、オーバーモールド時、オーバーモールド材料１４２の流れを制限することができる。オーバーモールド材料１４２は任意の適切な材料とすることができる。いくつかの構成においては、オーバーモールド材料１４２は、低圧オーバーモールドに用いるのに好適な任意の材料とすることができる。いくつかの構成においては、オーバーモールド材料１４２は、チューブ６を形成するために用いられる材料と類似する又は同じである熱可塑性ポリウレタン（ＴＰＵ）、熱可塑性硫化物（ＴＰＶ）又はポリオレフィンエラストマー（ＰＯＥ）などの熱可塑性エラストマー（ＴＰＥ）とすることができる。いくつかの構成においては、オーバーモールド材料１４２は、低密度ポリエチレン（ＬＤＰＥ）又はポリプロピレン（ＰＰ）などの熱可塑性ポリマーとされ得る。いくつかの構成においては、プラグ部９０がポリプロピレンである場合、チューブ６（テール部７０、７２を含む）はポリオレフィンエラストマーであり、プリント回路基板９２はガラス繊維強化エポキシ積層体であり、オーバーモールド材料１４２はアクリル酸メチル成分を含有するエチレン共重合体とすることができ、プラグ部９０、テール部７０、７２及びプリント回路基板９２に接着し、それにより、ニューマチック漏れ保護及び液体侵入保護を提供する。いくつかの構成においては、プリント回路基板９２はプラグ部９０の一部としてインサート成形してもよく、そうでなければプラグ部９０に接着してもよい。オーバーモールド材料１４２はプラグ部９０及びテール部７０、７２に接着するように選択された熱可塑性エラストマーとされ得る。
【００８７】
いくつかの構成においては、オーバーモールド材料１４２は第１の要素１１４の少なくとも一部に流入することができる。換言すると、第１の要素１１４は長尺状の中空要素とすることができ、オーバーモールド材料１４２は長尺状の中空要素の少なくとも一部に流入し、漏れの可能性を低下させるのを助けることができる。いくつかの構成においては、オーバーモールド材料１４２は第２の要素１１６を少なくとも部分的に融解し得る。第２の要素１１６を少なくとも部分的に融解することによって、オーバーモールド材料１４２及び第２の要素１１６は漏れの可能性を低下させるのを助けることができる。いくつかの構成においては、オーバーモールド材料１４２は電気部品に対する保護を提供することができる（例えば、電気部品を効果的に絶縁体に埋め込むことができる）。
【００８８】
図８〜図１０に示されるように、プラグ部９０は案内タブ１４４を含み得る。案内タブ１４４はプラグ部９０と一体形成され得る。案内タブ１４４は、プラグ部９０への導管１１２の組み付け時、導管１１２のための押し込み式停止部として機能し得る。示される構成においては、プラグ部９０は螺旋リブ１４６を含む。いくつかの構成においては、螺旋リブ１４６は導管１１２のピッチと整列し得る。プラグ部９０は、案内タブ１４４がテール部７０と導管１１２との間に配置されるまで導管１１２内に挿入され得る。螺旋リブ１４６は、その後、導管１１２を第１の要素１１４に押し込むことによってプラグ部９０上の所定の位置に保持するのを助けることができる。いくつかの構成においては、案内タブ１４４は取付フランジ９６の方に曲げられ、これにより、テール部７０をプリント回路基板９２の方に向けるのを助けることができる。テール部７０の長さ及び第１の扁平化領域１２０の長さは既知であるため、第１の要素１１４の端部と、露出したワイヤ１１８の、プリント回路基板９２のはんだパッド１０６への接続箇所との間に所望の長さを付与することが可能である。導管１１２の終端部をプリント回路基板９２に対して適切に配置することを望んでいることに留意しつつ他の構成も可能である。
【００８９】
図１０Ａを参照すると、チャンバ側端部コネクタ５２の一部、導管１１２の一部及び／又はプリント回路基板９２の一部を含むが、これらに限定されない上述のアセンブリを第１の外カバー１４８及び第２の外カバー１５０によって覆うことができる。２つの外カバー１４８、１５０は任意の適切な手法で固定され得る。示される構成においては、２つの外カバー１４８、１５０はプラグ部９０の取付フランジ９６にスナップ嵌合され得る。他の構成も可能である。
【００９０】
図１１Ａ〜図１１Ｃは、チャンバ側端部コネクタ３５２の別の例示的実施形態を示す。図１１Ａ〜図１１Ｂは、チャンバ側端部コネクタ３５２を外カバー又はハウジングなしで示し、図１１Ｃは、互いに及び／又はコネクタ３５２の下にある構成要素に固定された第１の外カバー３４８及び第２の外カバー３５０によって覆われたチャンバ側端部コネクタ３５２を示す。
【００９１】
チャンバ側端部コネクタ３５２は、プリント回路基板すなわちＰＣＢ３９２を支持し得るプラグ部３９０を含む。プラグ部３９０は、略円筒状とされ得る本体３９４を含む。取付フランジ３９６は本体３９４から遠ざかる方に延出し得る。取付フランジ３９６はＰＣＢ３９２が延在し得る通路３９８を画定する。取付フランジ３９６は、また、通路３９８から延出し、ＰＣＢ３９２が通路３９８内に延びる場合にはＰＣＢ３９２から延出する通路３９８の伸張部３９８ａを画定する。図８に示される実施形態においては、ＩＤ抵抗器などであるがこれに限定されない電子部品９３が、取付フランジ９６のチャンバ側、すなわち、取付フランジ９６の、アライメントノッチ１１０とは反対側のＰＣＢ９２上に配置されている。図１１Ａ〜図１１Ｃの実施形態においては、ＩＤ抵抗器などであるがこれに限定されない電子部品３９３は、取付フランジ３９６の導管側、すなわち、取付フランジ３９６の、アライメントノッチ３１０と同じ側のＰＣＢ３９２上に配置されている。電子部品３９３を取付フランジ３９６の導管側に配置すると、電子部品３９３を本明細書中に記載されるオーバーモールド材料によって被覆することが可能になり、電子部品３９３の液体からの保護を有利に助ける。通路３９８の伸張部３９８ａは、組み立て時、電子部品３９３が取付フランジ３９６を通るための開口部を提供する。
【００９２】
サポートレッジ３００は通路３９８に隣接して形成することができる。サポートレッジ３００はＰＣＢ３９２の下にあり、これを支持するように配置及び構成されている。図示される実施形態においては、サポートレッジ３００は通路３９８の底部よりも０．０２〜０．１ｍｍ高い、すなわち、プラグ部３９０の中心軸線から離れた高さを有する。この増加された高さにより、取付フランジ３９６の導管側のＰＣＢ３９２の一部はわずかに上方に、すなわち、プラグ部３９０の中心軸線から離れる方に曲がる又は持ち上がる。次いで、これにより、取付フランジ３９６のチャンバ側のＰＣＢ３９２の一部はわずかに下方に、すなわち、プラグ部３９０の中心軸線へと近付く方に撓む又は曲がる。これにより、ＰＣＢ３９２のチャンバ側端部、すなわち、取付フランジ３９６のチャンバ側のＰＣＢ３９２の端部をチャンバ側端部コネクタ３５２の下にある表面に強制的によりしっかりと接触させる。図１１Ｃに示すように、プラグ部３９０及びＰＣＢ３９２の一部を収容するように構成された第２の外カバー３５０は突起３５１を含む。突起３５１は、ＰＣＢ３９２のチャンバ側端部の下にあり、ＰＣＢ３９２のチャンバ側端部を支持するように構成されている。取付フランジ３９６の導管側のＰＣＢ３９２の一部を上方に押すサポートレッジ３００の高さによって取付フランジ３９６のチャンバ側のＰＣＢ３９２の一部を下方に押しやり、ＰＣＢ３９２のチャンバ側端部が突起３５１の上面と面一に又は突起３５１の上面よりもわずかに下に配置されるのを促す。これにより、ＰＣＢ３９２が周囲の物体に引っかかる可能性を阻み、ＰＣＢ３９２と突起３５１とが離れる可能性を低下させる。いくつかの構成においては、突起３５１は、ＰＣＢ３９２の少なくとも一部を受け入れる凹部を含み得る。図示される実施形態においては、サポートレッジ３００は２つの突出部３０２によって補強されている。サポートレッジ３００はＰＣＢ３９２の一部に重なる上向きのフック３０４を含み得る。
【００９３】
示されるように、ＰＣＢ３９２は、１つ以上の取付ノッチ３０８と、取付ノッチ３０８を少なくとも部分的に囲むはんだパッド３０６と、アライメントノッチ３１０と、を含む。この実施形態においては（及び図１１Ｂに最も良くに示されるように）、ＰＣＢ３９２は、４つのはんだパッド３０６によって少なくとも部分的に囲まれた４つの取付ノッチ３０８と、４つの対応するアライメントノッチ３１０と、を含む。最も外側の２つの取付ノッチ３０８ａ及びはんだパッド３０６ａはＰＣＢ３９２の第１の縁端に配置されており、対応する最も外側の２つのアライメントノッチ３１０ａはＰＣＢ３９２の第２の対向する縁端に、取付ノッチ３０８ａと整列して配置されている。内側２つの取付ノッチ３０８ｂ及びはんだパッド３０６ｂはＰＣＢ３９２の第２の縁端に、外側アライメントノッチ３１０ａの間に配置されており、内側２つのアライメントノッチ３１０ｂは、ＰＣＢ３９２の第１の縁端に、取付ノッチ３０８ａの間に取付ノッチ３０８ｂと整列して配置されている。
【００９４】
いくつかの実施形態では、外側はんだパッド３０６ａはヒータワイヤ１４にはんだ付けされるように構成されており、内側はんだパッド３０６ｂは検出ワイヤ１８にはんだ付けされるように構成されている。ヒータワイヤ１４を、外側はんだパッド３０６ａと、ＰＣＢ３９２の、検出ワイヤはんだパッド３０６ｂに対向する縁端とにはんだ付けすることで、ヒータワイヤはんだパッド３０６ａと検出ワイヤはんだパッド３０６ｂとの間の離隔距離を有利に増加する。これにより、ヒータワイヤはんだパッド３０６ａと検出ワイヤはんだパッド３０６ｂとの間の液体橋絡の可能性を阻止又は低下させ、ゆえに、検出ワイヤ１８へのヒータワイヤ１４の短絡の可能性を阻止又は低下させる。図示される実施形態においては、ＰＣＢ３９２はスロット３９５も含む。示されるように、スロット３９５はＰＣＢ３９２の導管側においてＰＣＢ３９２の一部に沿って長手方向に延びる。スロット３９５は外側はんだパッド３０６ａと内側はんだパッド３０６ｂとの間に配置されている。本明細書中に記載されるオーバーモールドプロセス中、オーバーモールド材料はスロット３９５へと流れ、これによりまた、ヒータワイヤはんだパッド３０６ａが検出ワイヤはんだパッド３０６ｂから分離することを助け、それらの間を液体が橋絡することを阻止するのを助ける。ヒータワイヤはんだパッド３０６ａと検出ワイヤはんだパッド３０６ｂとの間の分離は、また、ヒータワイヤと検出ワイヤとの間の熱伝達の可能性を低下させるのを助ける。
【００９５】
図１１Ａ〜図１１Ｃのチャンバ側端部コネクタ３５２は、製造中、第２の扁平化領域１２２を拘束するように構成されたカバー（図示せず）も含み得る。このカバーは、図８及び図９に示されるカバー１２４に類似し得る。しかしながら、図１１Ａ〜図１１Ｃに示される実施形態のカバーは、１つの保持部材１３２のみを含んでもよい。換言すると、このカバーはサポートレッジ３００の２つの端部に取り付けるよりもむしろサポートレッジ３００の一端のみに取り付けてもよい。
【００９６】
いくつかの実施形態では、プラグ部３９０、ワイヤ１１８、導管１１２及びＰＣＢ３９２の一部及び／又は接続部は図８〜図１０Ａの実施形態と同様にオーバーモールドされ得る。上述のように、図１１Ａ〜図１１Ｃの実施形態においては、ＰＣＢ３９２の導管側への電子部品３９３の配置により、電子部品３９３もまたオーバーモールドされ得る。図１１Ａ〜図１１Ｂに示すように、プラグ部３９０は隔壁３９７を含み得る。隔壁３９７は、ＰＣＢ３９２の下の、取付フランジ３９６と、サポートレッジ３００の突出部３０２との間のスペースを分割する。このスペースを隔壁３９７によって２つの小さなスペースに分割することで、オーバーモールド材料がボイドを形成する又はオーバーモールド材料が冷却される際に過度に収縮する可能性を低下させるのを有利に助ける。
【００９７】
プラグ部３９０は、プラグ部３９０への導管１１２の組み付け時、導管１１２のための押し込み式停止部として機能し得る案内タブ３４４を含み得る。図示される実施形態においては、案内タブ３４４は、図８〜図１０Ａの実施形態のように角度を成すのではなくむしろ、プラグ部３９０の壁と垂直に、プラグ部３９０から突出している。プラグ部３９０は２つの螺旋リブ３４６、３４７を含む。いくつかの実施形態では、第１の螺旋リブ３４６及び／又は第２の螺旋リブ３４７は導管１１２のピッチと整列し得る。図示される実施形態においては、第２の螺旋リブ３４７は、プラグ部３９０の外部表面から第２の螺旋リブ３４７の外部表面への傾斜の鋭い移行部又は変化部を形成する略台形断面を有する一方で、第１の螺旋リブ３４６は、より滑らかな移行部を形成する略半円状の断面を有する。第２の螺旋リブ３４７の鋭角は、液体が第２の螺旋リブ３４７上を通る可能性を妨げる又は低下させるのを助ける。プラグ部３９０は案内タブ３４４が第１の要素１１４の切込部に配置されるまで導管１１２内に挿入され得る。第１の螺旋リブ３４６は、その後、導管１１２を第１の要素１１４に押し込むことによってプラグ部９０上に保持するのを助けることができる。示されるように、案内タブ３４４は第１の螺旋リブ３４６から延出し得る。第２の螺旋リブ３４７は第１の螺旋リブ３４６とサポートレッジ３００との間に配置されている。図１１Ａに示すように、第２の螺旋リブ３４７がプラグ部３９０の周りを完全に一周するように、第２の螺旋リブ３４７は長手方向のブリッジングセグメント３４７ａを含む。第２の螺旋リブ３４７は、導管１１２からＰＣＢ３９２へと液体が伝わるのを阻止するための液体用バリアとして機能し得る。
【００９８】
ここで図１２を参照すると、患者側端部コネクタ５４は導管１６０の端部に結合された状態で示されている。患者側端部コネクタ５４は、１つの一体形成された本体１５８を含み得る。他の構成もまた可能である。
【００９９】
上述のように、導管１６０は、本明細書中の別の場所に記載されている任意の構成を含む任意の適切な構成を有し得る。示される導管１６０は第１の要素１６２及び第２の要素１６４を含む。第１の要素１６２は第２の要素１６４の前で終端してもよく、テール部８２（図１２では示されていない）は第２の要素１６４から延びている。換言すると、第２の要素１６４のテール部８２は第１の要素１６２ではなく患者側端部コネクタ５４の本体１５８に沿って更に延びてもよい。いくつかの構成においては、テール部８２は第１の要素１６２から延びてもよい。いくつかの構成においては、テール部８２は第１の要素１６２と第２の要素１６４を組み合わせたものから延びてもよい。いくつかの構成においては、第１の要素１６２及び第２の要素１６４は特定のピッチで螺旋状に巻かれている。
【０１００】
第２の要素１６４は１つ以上のワイヤ１６６を組み込むビードを含み得る。ワイヤ１６６は任意の適切な構成を有し得る。いくつかの構成においては、ワイヤ１６６は２つ以上の色を有するようにコーティングされ得る。換言すると、いくつかの構成においては、ワイヤ１６６は異なるようにコーティングされ得る、又はそうでなければワイヤ１６６のいくつか、例えば最も外側のワイヤ１６６を、他のワイヤ１６６、例えば最も内側のワイヤ１６６から視覚的に区別できるような色にされ得る。ワイヤ１６６間での又は中での視覚的区別を可能にするこうした構成又は別の構成により、有利には、ワイヤ１６６がプリント回路基板１６８への接続のための所望の位置及び順序にあることを確認することが可能になる。
【０１０１】
いくつかの構成においては、テール部８２は第１の扁平化領域１７０と第２の扁平化領域１７２（図１２では示されていない）とを含むことができ、ワイヤ１６６は第１の扁平化領域１７０と第２の扁平化領域１７２との間に露出され得る。テール部８２は、したがって、本明細書中の別の場所に記載したもののいずれも含む任意の適切な構成を有し得る。いくつかの構成においては、第２の扁平化領域１７２は省略され得る。いくつかの構成においては、第１の扁平化領域１７０及び第２の扁平化領域１７２は省略され得る。第１の扁平化領域１７０及び第２の扁平化領域１７２は、しかしながら、製造中又は製造後におけるワイヤ１６６間の接触の可能性を低下させるのを助ける。いくつかの構成においては、テール部８２は、第１の要素１６２及び／又は第２の要素１６４と、第１の扁平化領域１７０との間に、扁平化されていない又は第１の扁平化領域１７０よりも扁平化の度合いが小さい移行部又は予備部を含み得る。
【０１０２】
引き続き図１２を参照すると、いくつかの実施形態では、第２の扁平化領域１７２は、製造中、カバー１７４を用いて所定の位置に拘束され得る。カバー１７４は本体１５８と一体形成され得る。カバー１７４は本体１５８とは別個に形成され得る。別個に形成されたカバー１７４は任意の適切な構成にて本体１５８に固定され得る。示される構成においては、一体形成されたカバー１７４をプラグ部９０に固定するためにリビングヒンジ１７６を用いることができる。示される構成においては、２つの別個のリビングヒンジ１７６が用いられている。他の適切な構成も用いることができる。いくつかの実施形態では、第２の扁平化領域１７２は、露出したワイヤ１１８をはんだパッド１０６にはんだ付けした後に切り落とすことができ、カバーは使用されない。
【０１０３】
示される構成においては、カバー１７４は、第１の縁端１８８と第２の縁端１９０とを含み、かつ第１の縁端１８８に沿って配置され得る凹部１７８を含む。カバー１７４を閉位置にて固定するために本体１５８の柱１８０を用いることができる。柱１８０と凹部１７８は相互作用し、カバー１７４を閉位置にて固定することができる。突起部１９２は導管１６０のピッチと整列し得る。いくつかの構成においては、第２の縁端１９０は突起部１９２のピッチと整列し得る（又は略平行に延び得る）。第２の縁端１９０と突起部１９２は、このように、整列すると相互作用することができ、凹部１７８が柱１８０から離れる動きを防ぐことによって、カバー１７４を閉位置にて固定するのを助ける。上述したように、カバー１７４は、第２の扁平化領域１７２及び／又はワイヤ１６６を、本体１５８とカバー１７４との間の所定の位置に固定することができる。
【０１０４】
図１２を参照すると、本体１５８は、例えば、櫛部１８２などであるがこれに限定されないワイヤアライメント構成要素を含み得る。櫛部１８２は、ワイヤ１６６を受け入れる間隙又はアライメントノッチにより間隔を置いて配置された複数の指状部を含み得る。櫛部１８２はワイヤ１６６が互いに交差する可能性を低下させる又は排除するのを助けることができるとともに、プリント回路基板１６８へのはんだ付け時にワイヤ１６６をぴんと張られた状態に維持するのを助けることができる。示される図１２の構成においては、櫛
部１８２はプリント回路基板１６８に対し略垂直に延びる。
【０１０５】
図１３に示されるように、プリント回路基板１６８は本体１５８の直径全体に延びることが好ましい。換言すると、プリント回路基板１６８のいずれかの端部又は両端部において、プリント回路基板１６８の少なくとも一部が本体１５８を越えて露出し得る。図１３に示されるように、プリント回路基板１６８は、広いヘッド部分１６８ｂと、本体１５８のガス流路内に延びる狭い幹部分１６８ａと、を有する。ヘッド部分１６８ｂの少なくとも一部は本体１５８を越えて延びることが好ましい。いくつかの実施形態では、図１３に示されるように、幹部分１６８ａの少なくとも一部は本体１５８を越えて延びる。いくつかの実施形態では、幹部分１６８ａの少なくとも一部は本体１５８の厚みの範囲内で延びるが、本体１５８を越えては延びない。幹部分１６８ａは本体１５８の厚みの範囲内においてヘッド部分１６８ｂに結合している。換言すると、図１３に示すように、ヘッド部分１６８ｂの少なくとも一部は本体１５８の壁内に埋設されている。ヘッド部分１６８ｂははんだパッド１０６を含み、ヘッド部分１６８ｂの一部を本体１５８の壁に埋設することで、組み立て時、プリント回路基板１６８が撓みに耐えるのを助ける。
【０１０６】
引き続き図１３を参照すると、プリント回路基板１６８を、サーミスタ１８４をプリント回路基板１６８に取り付けた状態で示す。サーミスタ１８４は表面実装サーミスタとされ得る。他のセンサもプリント回路基板１６８に取り付けることができる。いくつかの実施形態では、サーミスタ１８４を用いて温度を検出し、この温度を示す値をプリント回路基板１６８に戻すとともに、プリント回路基板１６８から更なる医療デバイスへと送る。
【０１０７】
患者側端部コネクタ５４の形成時、サーミスタ１８４とプリント回路基板１６８はオーバーモールドされ得る。オーバーモールドプロセス時に生じる型締圧及び材料の流れによる圧のせいで、構成要素の向き及びプリント回路基板１６８の曲げ又は撓みが重要な問題になる。このため、サーミスタ１８４は、患者側端部コネクタ５４内におけるガス流の方向に、長手方向に実装されている。ガス流の方向における長手方向の実装により、オーバーモールド作業時に起こり得るプリント回路基板１６８の撓みの影響が低減される。換言すると、サーミスタ１８４はその端子がプリント回路基板１６８の最小量の撓みを有する方向に互いに相対して配向された状態で実装されることが好ましい。
【０１０８】
サーミスタ１８４はプリント回路基板１６８の延長部に配置され得る。プリント回路基板１６８の延長部は、プリント回路基板１６８の他の部分、及び本体１５８へのプリント回路基板１６８の取付部に対し更に上流側に、ガス流中に延びる。サーミスタ１８４をこのプリント回路基板１６８の延長部に配置することで、サーミスタ１８４は、プリント回路基板１６８の他の部分及び本体１５８へのプリント回路基板１６８の取付部によって生成し得るガス流中の乱流の前の、より層状のガス流中に配置される。加えて、サーミスタ１８４をプリント回路基板１６８の延長部に配置すると、プリント回路基板１６８の他の電子部品及び／又は環境条件によって発生した温度変化に起因しうる、幹状部によるサーミスタ１８４の読み取り値への作用の影響を低減させることができると考えられる。
【０１０９】
引き続き図１２を参照すると、本体１５８は案内タブ１８６を含み得る。案内タブ１８６は本体１５８と一体形成され得る。案内タブ１８６は、本体１５８への導管１６０の組み付け時に押し込み式停止部として機能し得る。示される構成においては、本体１５８は螺旋リブ１９４を含む。螺旋リブ１９４は導管１６０のピッチに合致又は類似し得る。したがって、第１の要素１６２（例えば、導管１６０の長尺状の中空部）が案内タブ１８６に当たるまで導管１６０を本体１５８上にねじ込むことができる（又は本体１５８を導管１６０内にねじ込むことができる）。いくつかの実施形態では、案内タブ１８６は導管１６０の本体から離れる方に曲げてもよく、これにより、テール部８２をプリント回路基板１６８の方に向けるのを助けることができる。いくつかの実施形態では、案内タブ１８６は本体１５８と垂直に突出している。テール部８２の長さ及び第１の扁平化領域１７０の長さは既知であるため、第１の要素１６２の端部と、露出したワイヤ１６６の、プリント回路基板１６８のはんだパッド１０６への接続部との間に所望の長さを付与することが可能である。導管１６０の終端部をプリント回路基板１６８に対して適切に配置することを望んでいることに留意しつつ、他の構成も可能である。
【０１１０】
上述のチャンバ側端部コネクタ５２と同様に、導管１６０と本体１５８との間の接続部及び／又はプリント回路基板１６８とワイヤ１６６との間の接続部はオーバーモールドされ得る。図１３Ａを参照すると、導管１６０と本体１５８との間の接合部にオーバーモールド材料１８９が示される。オーバーモールド材料１８９はプリント回路基板１６８及びワイヤ１６６を覆うことができる。オーバーモールド材料１８９は上述のオーバーモールド材料１４２に類似し得るとともに、これと類似の特徴を有し得る。加えて、図示しないが、導管１６０と本体１５８との間の接続部を覆い隠すために本体１５８にカバー部材を接続することができる。
【０１１１】
中間コネクタ５６もまた、ワイヤ１６６及び導管１６０への類似の接続部を用いることができる。
【０１１２】
場合によっては、導管１６０と本体１５８との間の接合部の、本体１５８の外部表面と導管１６０の内部表面との間に間隙又はスペースがあってもよい。凝縮物が導管１６０内に形成した場合、小さな間隙であっても導管１６０と本体１５８との間に液体がしみ込むことを可能とし、プリント回路基板１６８及び／又は露出したワイヤ１６６に到達させる可能性がある。電気部品又は接続部に液体が到達する可能性を阻む又は低下させるために、本体１５８は、オーバーモールド材料１８９が任意の間隙に流れ込むことを可能にし、導管１６０と本体１５８との間の接合面を密封するのを助けるための特徴を含み得る。オーバーモールド材料１８９は、したがって、電気部品を凝縮物又は他の液体からより良好に保護するのを助けることができる。オーバーモールド材料１８９は、また、導管１６０と本体１５８との間に改良されたニューマチックシールを形成するのを助けることができる。図１５〜図１９は、こうした特徴の例示的実施形態を示す。
【０１１３】
図１５を参照すると、いくつかの構成においては、患者側端部コネクタ５４はブリッジ部品２１０を含む。ブリッジ部品２１０は本体１５８の外部表面に配置され得る。ブリッジ部品２１０は本体１５８の外部表面と導管１６０の少なくとも一部との間に配置され得る。いくつかの構成においては、記載されるように、ブリッジ部品２１０は本体１５８の外部表面と導管１６０の第２の要素１６４又はビードとの間に配置され得る。
【０１１４】
図１６は、ブリッジ部品２１０の斜視図を示す。示されるように、ブリッジ部品２１０は、パッド部２１２と、伸張部分２１４と、ペグ２１６と、を含む。
【０１１５】
パッド部２１２は略正方形又は矩形とされ得る。他の構成もまた可能である。パッド部２１２はコネクタに接するように構成された下面を有する。パッド部２１２は、導管１６０又は導管１６０の第２の要素１６４若しくはビードに接するように構成された上面を有する。
【０１１６】
伸張部分２１４はパッド部２１２から外向き及び上方に延びる。図示される実施形態においては、伸張部分２１４は略三角形であるが、他の形状又は構成も可能である。伸張部分２１４は側面を有する。
【０１１７】
ペグ２１６は伸張部分２１４から延出する。示される構成においては、ペグ２１６は伸張部分２１４の側面から延出する。
【０１１８】
図１２及び図１３に示すように、本体１５８から延出するプリント回路基板１６８の幹部分１６８ａは穴２０２を含む。図１５に示すように、ペグ２１６は穴２０２に受け入れられるように構成されている。ペグ２１６が穴２０２に挿入された状態で、ブリッジ部品２１０は本体１５８に結合される。いくつかの実施形態では、プリント回路基板１６８の幹部分１６８ａは延びる又はわずかに広がり、ペグ２１６及びブリッジ部品２１０に対し更なる強度及びより良好な支持を付与する。
【０１１９】
図１５に示される実施形態においては、ブリッジ部品２１０は、本体１５８上の、案内タブ１８６に近接しかつ案内タブ１８６の基端側に配置されている。ブリッジ部品２１０は、導管１６０が本体１５８に結合されると、ビードを含む第２の要素１６４がパッド部２１２の上に延びるように配置されている。パッド部２１２は、したがって、第２の要素１６４を本体１５８の外部表面から離れる方に持ち上げ、これにより、第２の要素１６４と、パッド部２１２の両側の（すなわちコネクタの周方向の）本体１５８の外部表面との間に間隙を設ける。導管１６０と本体１５８との間の接合部にオーバーモールド材料１８９が塗布されると、オーバーモールド材料１８９はブリッジ部品２１０によって設けられた間隙に流れ込むことができ、これにより、第２の要素１６４を本体１５８の外部表面に接着する。第２の要素１６４を本体１５８の外部表面に接着することで、本体１５８の外部表面と導管１６０の第２の要素１６４又はビードとの間に液体がしみ込むことを阻止する又は防ぐことができるため、液体が電気接続に到達する可能性を低下又は排除できる。
【０１２０】
図２０は、ブリッジ部材が、幹部分１６８ａとタブ１８６との間に配置された２つの隣り合う凹部２１１によって本体１５８上に形成される別の実施形態を示す。第２の要素１６４は凹部２１１上に延びて、オーバーモールド部が第２の要素１６４を囲み、第２の要素１６４を本体１５８の外部表面に接着するように、オーバーモールド材料が凹部２１１に流れ込むことを可能にする。第２の要素１６４を本体１５８の外部表面に接着することで、本体１５８の外部表面と第２の要素１６４との間に液体がしみ込むことを阻止する又は防ぐことができ、液体が電気経路に到達する可能性を低下させる又は排除する。
【０１２１】
図１７〜図１９を参照すると、いくつかの構成においては、患者側端部コネクタ５４は本体１５８に形成されたチャネル２２０を含む。チャネル２２０により、オーバーモールド材料１８９が導管１６０の内部表面と本体１５８の外部表面との間を流れることが可能になる。示されるように、チャネル２２０は本体１５８の外部表面から凹設されている又は本体１５８の外部表面に凹部として形成されている。
【０１２２】
チャネル２２０は任意の適切な構成を有し得る。チャネル２２０は本体１５８の周囲の少なくとも一部に延在し得る。いくつかの構成においては、チャネル２２０は螺旋状に又は一部螺旋状に延在し得る。チャネル２２０は、第２の要素１６４が、チャネル２２０上に、チャネル２２０に沿って又はチャネル２２０内に延在するように配置及び形成され得る。オーバーモールド材料１８９が導管１６０と本体１５８との間の接合部に塗布されると、オーバーモールド材料１８９はチャネル２２０内及び第２の要素１６４の下に流れ込むことができ、これにより、第２の要素１６４を本体１５８の外部表面に接着する。いくつかの構成においては、オーバーモールド材料１８９は、第２の要素１６４又は導管１６０を、チャネル２２０によって画定される凹設面に接着する。
【０１２３】
導管１６０と本体１５８との間のシールの形成を助けるために、チャネル２２０及び第２の要素１６４は、チャネル２２０が第２の要素１６４の両側へと（すなわちコネクタの軸方向に）延びるように配置され得る。図１７に示すように、チャネル２２０の少なくとも一部２２２は第２の要素１６４の基端側にある。いくつかの構成においては、チャネル２２０は螺旋状に巻く第２の要素１６４の２つ以上のラップの下に延出し得る。いくつかの構成においては、リップ又は隆起２２４をチャネル２２０に沿って又は隣接させて構成することができ、リップ又は隆起２２４は第２の要素１６４を横切って延びるように方向付けることができる。リップ又は隆起２２４は、上述のパッドと同様に、第２の要素１６４を本体１５８の外部表面から離れる方に持ち上げることができる。
【０１２４】
図１４Ａ〜図１４Ｆは、患者側端部コネクタ３５４の別の例示的実施形態を示す。患者側端部コネクタ３５４は、一体形成された本体３５８と、プリント回路基板すなわちＰＣＢ３６８と、を含み得る。この実施形態においては、テール部８２の第２の扁平化領域１７２は、露出したワイヤ１１８がはんだパッドにはんだ付けされた後に切り落とされるため、カバーは使用されない。本体３５８は櫛部３８２などのワイヤアライメント構成要素を含み得る。櫛部３８２はアライメントノッチを含み得る。アライメントノッチは、ワイヤ１６６を受け入れ、ワイヤ１６６を互いに分離された状態に維持し、かつＰＣＢ３６８へのはんだ付け時にぴんと張られた状態に維持するのを助ける。
【０１２５】
示されるように、ＰＣＢ３６８は本体３５８の直径全体に延び、広いヘッド部分３６８ｂと、狭い幹部分３６８ａとを含む。ヘッド部分３６８ｂははんだパッド３０６を含む。図示される実施形態においては、外側２つのはんだパッド３０６ａはヘッド部分３６８ｂの、櫛部３８２とは逆に面する側に配置されており、内側２つのはんだパッド３０６ｂはヘッド部分３６８ｂの反対側に、すなわち、櫛部３８２に面して配置されている。外側２つのはんだパッド３０６ａはヒータワイヤ１４にはんだ付けされるように構成することができ、内側２つのはんだパッド３０６ｂは検出ワイヤ１８にはんだ付けされるように構成することができる。この構成により、ヒータワイヤはんだパッド３０６ａと検出ワイヤはんだパッド３０６ｂとの間の離隔距離が有利に増加し、それらの間が液体橋絡し、短絡を引き起こす可能性を低下させるのを助ける。
【０１２６】
上述のチャンバ側端部コネクタ３５２と同様に、患者側端部コネクタ３５４は、組み立て時、導管１６０を第１の要素１６２に押し込むことによって本体３５８上に保持するのを助ける第１の螺旋リブ４９４と、本体３５８上への導管１６０の組み付け時、導管１６０のストッパとして機能する案内タブ３８６と、液体が導管１６０からＰＣＢ３６８に到達することを阻止するための液体用バリアとして機能する第２の螺旋リブ４９５と、を含み得る。図示される実施形態においては、案内タブ３８６は本体３５８から、本体３５８と垂直に突出する。図１４Ａに示すように、コネクタ３５２上にねじ込まれた導管１６０の端部にある導管１６０の第１の要素１６２は第１の要素１６２の中間にて切断することができ、案内タブ３８６が第１の要素１６２の切断された縁端に対して配置されるまで本体３５８を導管１６０に挿入することができる。
【０１２７】
図１４Ｃに示すように、第２の螺旋リブ４９５が本体３５８を完全に一周して液体用バリアを設けるように、第２の螺旋リブ４９５は長手方向のブリッジングセグメント４９５ａを含む。案内タブ３９６は、第１の螺旋リブ４９４に最も近い長手方向のブリッジングセグメント４９５ａの端部に配置されている。ドリフト制限ポスト３８８が長手方向のブリッジングセグメント４９５ａの、案内タブ３９６とは反対の端部に配置されている。テール部８２がＰＣＢ３６８へと延びる際にテール部８２は長手方向のブリッジングセグメント４９５ａ上に延びる。ドリフト制限ポスト３８８はテール部８２がＰＣＢ３６８の幹部分３６８ａへと遠くまで移動し過ぎるのを阻止することを補助し、オーバーモールド時、テール部８２を所望の位置に維持するのを助ける。図１４Ｂに示すように、ＰＣＢ３６８の幹部分３６８ａはヘッド部分３６８ｂに対してオフセットしている又は中央に位置合わせされていない。これにより、幹部分３６８ａの露出した端部をドリフト制限ポスト３８８から更に遠くに離して有利に移動させる。
【０１２８】
チャンバ側端部コネクタ５２、３５２及び図１２〜図１３Ａの患者側端部コネクタ５４の実施形態について記載したように、導管１６０と患者側端部コネクタ３５４の本体３５８との間の接続部及び／又は導管１６０とＰＣＢ３６８との間の接続部はオーバーモールドされ得る。患者側端部コネクタ３５４は、オーバーモールド材料が任意の間隙に流れ込むことを可能にし、導管１６０と本体３５８との間の接合面をより良好に密封する特徴を含み得る。例えば、図１４Ｃ及び図１４Ｄに示すように、本体３５８は、テール部８２を本体３５８から離れる方に持ち上げ、オーバーモールド材料がテール部８２を完全に覆うことを可能にするための一連のブリッジ部材を含む。第２の螺旋リブ４９５の長手方向のブリッジングセグメント４９５ａは第１のブリッジ部材を形成する。２つの更なるブリッジ部材３８９ａ、３８９ｂが長手方向のブリッジングセグメント４９５ａとＰＣＢのヘッド部分３６８ｂとの間に配置されるが、より多数又はより少数のブリッジ部材もまた可能である。付加的に又は代替的に、本体３５８は、ブリッジ部材を囲む領域において縮小された外径を有することができる。例えば、図１４Ｅに示すように、外径は、ドリフト制限ポスト３８８とブリッジ部材３８９ａとの間の、ドリフト制限ポスト３８８に隣接するエリア３５８ａにおいて（図１４Ｅの基準弧Ｄによって示される、本体３５８が円形である場合に有するであろう直径と比べて）縮小することができる。いくつかの構成においては、外径は、次いで、領域３５８ａからＰＣＢ３６８のヘッド部分３６８ｂに隣接する領域３５８ｂへと徐々に増加することができる。本体３５８のこの減少した外径部分によって、より多くのオーバーモールド材料がテール部８２の下を流れ、テール部８２をより完全に覆うことも可能にさせることができる。図１４Ｆに示すように、カバー部材３５５は、また、本体３５８に接続することができ、導管１６０と本体３５８との間の接続部を覆い隠す。
【０１２９】
図７Ｂ〜図７Ｄは、図７に示される導管セグメント６０及び６２などの２つの導管セグメントを結合するために用いることができる中間点アセンブリ４００の例示的実施形態を示す。示される中間点アセンブリ４００は、本体４０２と、ＰＣＢ４０４と、パワーダイオード４０１と、を含む。いくつかの構成においては、中間点アセンブリ４００は、また、センサダイオード及びサーミスタなどのセンサを含んでもよい。中間点アセンブリ４００は、本明細書中に示されかつ記載されるチャンバ側端部コネクタ３５２及び患者側端部コネクタ３５４のものに構造及び／又は機能が類似する種々の特徴を含み得るものの、中間点アセンブリ４００はこれらの特徴の多くのうち各２つを各端部に１つずつ含み得る。これは、中間点アセンブリ４００が各端部にて導管に結合するように構成されているためである。例えば、中間点アセンブリ４００は、櫛部４１０ａ、４１０ｂなどの２つのアライメント構成要素を含む。第１の櫛部４１０ａはＰＣＢ４０４の一方の側にてＰＣＢ４０４と略垂直に延出し、第２の櫛部４１０ｂはＰＣＢ４０４の他方の側にてＰＣＢ４０４と略垂直に延出する。図７Ｂ及び図７Ｄに示すように、はんだパッド４０６をＰＣＢ４０４のいずれかの側にて交互に配置し、ＰＣＢ４０４の各側の隣接するはんだパッド４０６間の離隔距離を有利に増加し、短絡の可能性を低減する。中間点アセンブリ４００の各端部は、導管を本体４０２上にねじ込むことを可能にする第１の螺旋リブ４１２と、導管とＰＣＢ４０４との間の液体用バリアとして機能し、第２の螺旋リブ４１４が本体４０２を完全に一周するように長手方向のブリッジングセグメント４１４ａを含む第２の螺旋リブ４１４と、を含む。各端部は、また、長手方向のブリッジングセグメント４１４ａの一端に案内タブ４１６を含む。各端部は２つのブリッジング部材４２０を更に含む。２つのブリッジング部材４２０は、導管セグメントのテール部を本体４０２から離れる方に持ち上げ、オーバーモールド材料がテール部を完全に封入することを可能にする。
【０１３０】
図７Ｅ〜図７Ｆは、中間点アセンブリの別の例示的実施形態を示す。示される中間点アセンブリは図７Ｂ〜図７Ｄの中間点アセンブリ４００に類似し得る。しかしながら、図７Ｂ〜図７Ｄの実施形態では、中間点アセンブリのチャンバ側端部の第１の螺旋リブ４１２及び第２の螺旋リブ４１４と、中間点アセンブリの患者側端部の第１の螺旋リブ４１２及び第２の螺旋リブ４１４とは、実質的に同じ周方向位置（例えば、５°又は１０°以内）にて開始及び終了する。中間点アセンブリのチャンバ側端部及び患者側端部の長手方向のブリッジングセグメント４１４ａは、実質的に同じ周方向位置（例えば、５°又は１０°以内）に配置され得る。図７Ｅ〜図７Ｆの実施形態においては、中間点アセンブリのチャンバ側端部及び患者側端部のうちの１つの第１の螺旋リブ４１２及び第２の螺旋リブ４１４の開始及び終了は、中間点アセンブリのチャンバ側端部及び患者側端部のもう一方の第１の螺旋リブ４１２及び第２の螺旋リブ４１４の開始及び終了に対して周方向にオフセットしている又はずれている。いくつかの実施形態では、中間点アセンブリのチャンバ側端部及び患者側端部のうちの１つの長手方向のブリッジングセグメント４１４ａは、中間点アセンブリのチャンバ側端部及び患者側端部のもう一方の長手方向のブリッジングセグメント４１４ａに対して周方向にオフセットしている又はずれている。図示される構成に示すように、中間点アセンブリのチャンバ側端部及び患者側端部のうちの１つの第１及び第２の螺旋リブ並びに／又は長手方向のブリッジングセグメントの開始及び終了は、チャンバ側端部及び患者側端部のもう一方の第１及び第２の螺旋リブ並びに／又は長手方向のブリッジングセグメントの開始及び終了に対して周方向に９０°オフセットしている又はずれている。この配置は、チャンバ側端部コネクタ、中間点アセンブリ及び患者側端部コネクタを、製造時、チューブセグメントの１つがよじれることなく組立ジグ内にて正しい向きに配置することを有利に可能にする。いくつかの構成においては、中間点アセンブリは、中間点アセンブリの向きを示すためのインジケータを含み得る。例えば、示される構成においては、中間点アセンブリは、中間点アセンブリの患者側端部の方を指す矢印４０３を含む。
【０１３１】
いくつかの構成においては、はんだ付けする前に、テール部２０、３０、７０、７２、８０、８２の１つ以上にて露出するワイヤに錫メッキを施すことができる。いくつかの構成においては、テール部２０、３０、７０、７２、８０、８２の１つ以上にて露出するワイヤに錫メッキを施すことができ、各第２の扁平化部分３６又は第２の扁平化領域１２２、１７２は省略されている。いくつかの構成においては、テール部２０、３０、７０、７２、８０、８２の１つ以上にて露出するワイヤに錫メッキを施すことができ、各第２の扁平化部分３６又は第２の扁平化領域１２２、１７２は省略されていない。ワイヤの錫メッキははんだ付けプロセスを向上及び簡略化できる。加えて、ワイヤの錫メッキは、ワイヤが交差したり互いに接触したりする可能性を低下させることができる。いくつかの構成においては、テール部２０、３０、７０、７２、８０、８２の１つ以上にて露出するワイヤに錫メッキを施すことができ、各カバー１２４、１７４が、尚、テール部２０、３０、７０、７２、８０、８２の１つ以上の一部を所定の位置に固定するために用いられている。いくつかの構成においては、テール部２０、３０、７０、７２、８０、８２の１つ以上にて露出するワイヤに錫メッキを施すことができ、テール部２０、３０、７０、７２、８０、８２の１つ以上の一部を所定の位置に固定するために各カバー１２４、１７４は用いられていない。いくつかの構成においては、上述のように、テール部２０、３０、７０、７２、８０、８２の１つ以上にて露出するワイヤに錫メッキを施すことはできず、テール部２０、３０、７０、７２、８０、８２の１つ以上の一部を所定の位置に固定するために各カバー１２４、１７４が用いられている。いくつかの構成においては、テール部２０、３０、７０、７２、８０、８２の１つ以上にて露出するワイヤに錫メッキを施すことはできず、テール部２０、３０、７０、７２、８０、８２の１つ以上の一部を所定の位置に固定するために各カバー１２４、１７４は用いられていない。任意の他の適切な構成を用いることもできる。
【０１３２】
文脈で明確に求められない限り、明細書及び特許請求の範囲の全体において、「含む、「含んでいる」等の語は、排他的又は網羅的意味とは対照的に、包含的な意味、すなわち、「含むが、これに限定されない」の意味で解釈すべきである。
【０１３３】
本明細書における任意の先行技術への言及は、この先行技術が世界中の任意の国の同種の技術分野における共通一般知識の一部を成すという承認又は任意の提案の形態であると解釈されず、また、解釈されるべきではない。
【０１３４】
本明細書中に記載される実施形態に対し多くの変形及び修正を施してもよいことは強調すべきであり、その要素は数ある中の許容可能な例であると解釈すべきである。あらゆるこうした修正及び変更は、本開示の範囲内である本明細書中に含まれ、かつ以下の特許請求の範囲によって保護されるものとする。更に、前述の開示のいずれも、任意の特定の構成要素、特性又は工程段階が必要である又は必須であることを意味するものではない。
【０１３５】
本明細書中に記載される方法及びデバイスに種々の修正及び代替的形態を施す余地があり得る一方で、その特定の実施例が図面に示されており、本明細書中に詳細に記載されている。しかしながら、本発明は開示される特定の形態又は方法に限定されず、これとは反対に、本発明は、記載されている種々の実装形態並びに添付の特許請求の範囲の趣旨及び範囲内にあるあらゆる修正形態、均等物及び代替形態を包含することは理解すべきである。更に、本明細書中における、実装形態又は実施形態に関連する任意の特定の特徴、態様、方法、特性、特徴、質、属性、要素等の開示は本明細書中で説明する他のあらゆる実装形態又は実施形態において用いることができる。本明細書中に開示されるいかなる方法も列挙した順序にて実施する必要はない。本明細書中に開示される方法は医師によって行われる特定の行為を含んでもよい。しかしながら、当該方法は、また、任意の第三者の、明示又は黙示のいずれかによるこれら行為の指示を含むことができる。本明細書中に開示される範囲は、一切の重なり、部分範囲及びこれらの組み合わせも含む。「以下」、「少なくとも」、「超えて」、「未満」、「間」等のような語は、列挙した数を
含む。記載した数値は例として提供されるものであり、これらの特定の値に限定されるものではない。むしろ、本開示の範囲は、こうした状況下で妥当であるとされる記載した値の、およそ妥当な範囲、ほぼ妥当な範囲又は妥当な範囲内である値を含む。換言すると、大きさに関する用語（例えば、数）の数学的な厳密さを回避するために、特定の数が値として示される場合、当該値は、大きさに関する用語によって達成される機能又は目的を無効にしない重要でない変分を含むことが明白に企図される。「約」、「ほぼ」等のような文言はこうした大きさに関する用語と関連付けて暗示すべきであり、均等論はこれら大きさに関する用語の重要でない変分の取り扱いに依拠する。同様に、「実質的に」又は「略」などの用語によって先行される文言は、列挙した文言を含み、状況に基づき（例えば、こうした状況下で可能な限り妥当に）解釈すべきである。例えば、「略垂直に」は「垂直に」を含む。
【図１】
2020179192.tif 000003
【図２】
2020179192.tif 000004
【図３】
2020179192.tif 000005
【図４】
2020179192.tif 000006
【図５】
2020179192.tif 000007
【図６】
2020179192.tif 000008
【図７】
2020179192.tif 000009
【図７Ａ】
2020179192.tif 000010
【図７Ｂ】
2020179192.tif 000011
【図７Ｃ】
2020179192.tif 000012
【図７Ｄ】
2020179192.tif 000013
【図７Ｅ】
2020179192.tif 000014
【図７Ｆ】
2020179192.tif 000015
【図８】
2020179192.tif 000016
【図９】
2020179192.tif 000017
【図１０】
2020179192.tif 000018
【図１０Ａ】
2020179192.tif 000019
【図１１Ａ】
2020179192.tif 000020
【図１１Ｂ】
2020179192.tif 000021
【図１１Ｃ】
2020179192.tif 000022
【図１２】
2020179192.tif 000023
【図１３】
2020179192.tif 000024
【図１３Ａ】
2020179192.tif 000025
【図１４Ａ】
2020179192.tif 000026
【図１４Ｂ】
2020179192.tif 000027
【図１４Ｃ】
2020179192.tif 000028
【図１４Ｄ】
2020179192.tif 000029
【図１４Ｅ】
2020179192.tif 000030
【図１４Ｆ】
2020179192.tif 000031
【図１５】
2020179192.tif 000032
【図１６】
2020179192.tif 000033
【図１７】
2020179192.tif 000034
【図１８】
2020179192.tif 000035
【図１９】
2020179192.tif 000036
【図２０】
2020179192.tif 000037
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
医療用チューブであって、
１つ以上のワイヤと、当該医療用チューブの端部に設けられたテール部と、
コネクタと、
を備え、
前記テール部が露出部を含み、前記１つ以上のワイヤが前記露出部で露出しており、
前記コネクタは、
本体と、
取付機能部を備えたプリント回路基板であって、前記１つ以上のワイヤの露出部が前記取付機能部にはんだ付けされるように構成されている、プリント回路基板と、
はんだ付け時に、前記１つ以上のワイヤを所定の位置に保持するように構成されているアライメント機能部と、
を含んでいる、医療用チューブ。
【請求項２】
前記取付機能部が取付ノッチを含み、前記アライメント機能部がアライメントノッチを含む、請求項１に記載の医療用チューブ。
【請求項３】
前記アライメント機能部が櫛状に形成されている、請求項１または請求項２に記載の医療用チューブ。
【請求項４】
前記取付機能部が前記プリント回路基板の第１の側部に配置されている、請求項１から請求項３のうちのいずれか一項に記載の医療用チューブ。
【請求項５】
前記取付機能部が前記プリント回路基板の第１の側部に配置されたはんだパッドを含む、請求項１から請求項４のうちのいずれか一項に記載の医療用チューブ。
【請求項６】
前記１つ以上のワイヤが２つの検出ワイヤ及び２つのヒータワイヤを含み、前記コネクタが４つの取付機能部を含み、前記検出ワイヤが前記４つの取付機能部の内側の２つにはんだ付けされ、前記ヒータワイヤが前記４つの取付機能部の外側の２つにはんだ付けされている、請求項４または請求項５に記載の医療用チューブ。
【請求項７】
前記アライメント機能部が前記プリント回路基板の第２の側部に配置されている、請求項１から請求項６のうちのいずれか一項に記載の医療用チューブ。
【請求項８】
前記１つ以上のワイヤの前記露出部が前記プリント回路基板と前記アライメント機能部との間に延びている、請求項１から請求項７のうちのいずれか一項に記載の医療用チューブ。
【請求項９】
前記プリント回路基板が複数の対をなすノッチを備え、前記ノッチの各対は、前記１つ以上のワイヤの各１つを受けるように構成され、前記ノッチの各対は、前記プリント回路基板の第１の側部のノッチと前記プリント回路基板の第２の側部のノッチとを含み、前記各対のノッチの一方が前記取付機能部の１つをなし、前記各対のノッチの他方がアライメント機能部の１つをなす、請求項１または請求項２に記載の医療用チューブ。
【請求項１０】
前記本体が前記１つ以上のアライメント機能部を含む、請求項１から請求項３のうちのいずれか一項に記載の医療用チューブ。
【請求項１１】
前記テール部の少なくとも一部が前記カバーと前記本体の表面との間に配置することができる、請求項１から請求項１０のうちのいずれか一項に記載の医療用チューブ。
【請求項１２】
前記カバーが、
前記本体にヒンジ式に接続されているか、および／または
前記本体の表面を補完する湾曲した内面を有しているか、および／または
１つ以上の保持部材を含む、
請求項１１に記載の医療用チューブ。
【請求項１３】
前記１つ以上の保持部材が、
前記カバーを本体に固定するか、および／または
前記カバーの縁に沿って前記カバーを固定するか、および／または
前記カバーを柱に固定する、
請求項１２に記載の医療用チューブ。
【請求項１４】
前記テール部が扁平化された部分を含み、前記露出部が前記扁平化された部分に続き、前記テール部が前記露出部に続く第２の扁平化された部分を含む、請求項１１から請求項１３のうちのいずれか一項に記載の医療用チューブ。
【請求項１５】
前記第２の扁平化された部分が前記カバーと前記本体の表面との間に配置されている、請求項１４に記載の医療用チューブ。
【請求項１６】
前記医療用チューブと前記本体との間の接合部がオーバーモールド材料で被覆されている、請求項１から１５のいずれか一項に記載の医療用チューブ。
【請求項１７】
前記医療用チューブが第１の長尺状部材及び第２の長尺状材料を含み、
前記前記オーバーモールド材料が、
当該医療用チューブと前記本体との間の電気的接続部を被覆しているか、および／または
前記第１の長尺状部材を密封しているか、および／または
少なくとも部分的に前記第２の長尺状部材を融解するか、および／または
少なくとも部分的に前記第１の長尺状部材を融解する、
請求項１６に記載の医療用チューブ。
【請求項１８】
前記本体が、前記本体への当該医療用チューブの接続を案内する１つ以上の外部機能部を含む、請求項１から１７のうちのいずれか一項に記載の医療用チューブ。
【請求項１９】
前記１つ以上の外部機能部が、
螺旋状リブ、および／または
案内タブ、および／または
ドリフト制限ポスト
を含む、請求項１８に記載の医療用チューブ。
【請求項２０】
前記螺旋状リブが、
前記本体を完全には囲んでいないか、および／または 
前記第１の長尺状部材のピッチに対応するピッチを有するとともに前記第１の細長い部材に圧力を印加する、
請求項１９に記載の医療用チューブ。
【外国語明細書】
2020179192000001.pdf